(57)【要約】      （修正有）【課題】ワイヤレス通信機器によって文脈的関連コンテンツを取得する方法を提供する。【解決手段】ワイヤレス通信機器（ＷＣＤ）によって宛先機器識別アイテムを取得することと、宛先機器識別アイテムをコンテキストコンテンツサーバに送信することであって、コンテキストコンテンツサーバが、受信された宛先機器識別アイテムとＷＣＤロケーション値とを処理することによって１つ以上の文脈的関連コンテンツアイテムを決定する、送信することと、コンテキストコンテンツサーバから、１つ以上の文脈的関連コンテンツアイテムのうちの少なくとも１つを受信することとを備えることができる。【選択図】図１
2014180017.tif 000002
【特許請求の範囲】
【請求項１】
ワイヤレス通信機器によって文脈的関連コンテンツを取得する方法であって、
ワイヤレス通信機器（ＷＣＤ）によって宛先機器識別アイテムを取得すること、
前記宛先機器識別アイテムをコンテキストコンテンツサーバに送信すること、
前記コンテキストコンテンツサーバから、１つ以上の前記文脈的関連コンテンツアイテムのうちの少なくとも１つを受信すること、を含み、
前記コンテキストコンテンツサーバが、受信された前記宛先機器識別アイテムを処理することによって１つ以上の文脈的関連コンテンツアイテムを決定する、方法。
【請求項２】
前記コンテキストコンテンツサーバが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定する、請求項１に記載の方法。
【請求項３】
前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、請求項２に記載の方法。
【請求項４】
前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、請求項２に記載の方法。
【請求項５】
前記企業又は企業カテゴリー宛先機器識別アイテムに関して決定された１つ以上の前記文脈的関連コンテンツアイテムが、前記企業宛先機器識別アイテムから英数字表現を抽出することと、前記企業カテゴリー又は少なくとも１つの関係する企業を決定するために前記抽出された英数字表現を使用することとによって決定された１つ以上の前記文脈的関連コンテンツアイテムを含む、請求項２に記載の方法。
【請求項６】
前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、請求項２に記載の方法。
【請求項７】
前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、請求項２に記載の方法。
【請求項８】
前記コンテキストコンテンツサーバが、前記モバイル事業者と、前記広告サーバと、前記勧告サーバとのうちの少なくとも１つに関連する、請求項２に記載の方法。
【請求項９】
前記宛先機器識別アイテムを前記取得することが、
前記ＷＣＤに関連するユーザインターフェースから、ユーザが入力した電話番号を受信することと、
前記ＷＣＤに関連するアドレス帳から、ユーザが入力した電話番号を受信することと、
モバイル事業者が提供した複数の値から、ユーザが入力した値を受信することと、
前記着信呼から前記宛先機器識別アイテムを受信することと
のうちの少なくとも１つを更に含む、請求項１に記載の方法。
【請求項１０】
前記ＷＣＤロケーション情報が、
前記ＷＣＤに関連するロケーションセンサから前記ＷＣＤロケーション値を受信することと、
ユーザ入力から前記ＷＣＤロケーション情報を受信することと、
前記ＷＣＤに関連する電話番号の市外局番から前記ＷＣＤロケーション情報を受信することと、
ロケーションサーバから前記ＷＣＤロケーション情報を受信することと
のうちの少なくとも１つによって取得される、請求項３に記載の方法。
【請求項１１】
前記受信することが、
前記ＷＣＤに関連する１つ以上の動作間隔中に１つ以上の前記文脈的関連コンテンツアイテムのうちの少なくとも１つを受信することであって、１つ以上の前記動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、受信することを更に含む、請求項１に記載の方法。
【請求項１２】
前記宛先機器識別アイテムとの通信接続を開始するより前の前記間隔中に前記受信することが、
１つ以上の非文脈的関連コンテンツアイテムを表示するアプリケーションに関連するユーザ入力に応答して１つ以上の前記文脈的関連コンテンツアイテムを表示することを更に含む、請求項１１に記載の方法。
【請求項１３】
前記宛先機器識別アイテムを送信することが、
ショートメッセージサービス（ＳＭＳ）プロトコルと、
拡張メッセージングサービス（ＥＭＳ）プロトコルと、
マルチメディアメッセージサービス（ＭＭＳ）プロトコルと、
インターネットプロトコル（ＩＰ）ソケットプロトコルと、
符号分割多重アクセス（ＣＤＭＡ）ベースのプロトコルと、
グローバル・システム・フォー・モバイル・コミュニケーションズ（ＧＳＭ）ベースのプロトコルと
のうちの少なくとも１つを使用して前記宛先機器識別アイテムを送信することを更に含む、請求項１に記載の方法。
【請求項１４】
前記宛先機器識別アイテムを送信することが、
ショートメッセージサービス（ＳＭＳ）通信データパケットと、
宛先機器電話番号と
のうちの少なくとも１つとして前記宛先機器識別アイテムを送信することを更に含む、請求項１に記載の方法。
【請求項１５】
ワイヤレス通信機器によって文脈的関連コンテンツを取得するように構成された少なくとも１つのプロセッサであって、
ワイヤレス通信機器（ＷＣＤ）によって宛先機器識別アイテムを取得するための第１のモジュールと、
前記宛先機器識別アイテムをコンテキストコンテンツサーバに送信するための第２のモジュールと、
前記コンテキストコンテンツサーバから、１つ以上の前記文脈的関連コンテンツアイテムのうちの少なくとも１つを受信するための第３のモジュールと、
を備え、前記コンテキストコンテンツサーバが、受信された前記宛先機器識別アイテムを処理することによって１つ以上の文脈的関連コンテンツアイテムを決定する、プロセッサ。
【請求項１６】
コンピュータに、ワイヤレス通信機器（ＷＣＤ）によって宛先機器識別アイテムを取得させるためのコードの第１のセットと、
前記コンピュータに、前記宛先機器識別アイテムをコンテキストコンテンツサーバに送信させるためのコードの第２のセットと、
前記コンピュータに、前記コンテキストコンテンツサーバから、１つ以上の前記文脈的関連コンテンツアイテムのうちの少なくとも１つを受信させるためのコードの第３のセットと、
を備え、前記コンテキストコンテンツサーバが、受信された前記宛先機器識別アイテムを処理することによって１つ以上の文脈的関連コンテンツアイテムを決定する、コンピュータ可読媒体を備える、コンピュータプログラム製品。
【請求項１７】
ワイヤレス通信機器（ＷＣＤ）によって宛先機器識別アイテムを取得するための手段と、
前記宛先機器識別アイテムをコンテキストコンテンツサーバに送信するための手段と、
前記コンテキストコンテンツサーバから、１つ以上の前記文脈的関連コンテンツアイテムのうちの少なくとも１つを受信するための手段と、
を備え、前記コンテキストコンテンツサーバが、受信された前記宛先機器識別アイテムを処理することによって１つ以上の文脈的関連コンテンツアイテムを決定する、装置。
【請求項１８】
ワイヤレス通信機器（ＷＣＤ）によって宛先機器識別アイテムを取得すること、
前記宛先機器識別アイテムをコンテキストコンテンツサーバに送信すること、
前記コンテキストコンテンツサーバから、１つ以上の文脈的関連コンテンツアイテムのうちの少なくとも１つを受信すること、
を行うように動作可能な通信モジュールを備え、前記コンテキストコンテンツサーバが、受信された前記宛先機器識別アイテムを処理することによって１つ以上の前記文脈的関連コンテンツアイテムを決定する、ワイヤレス通信機器（ＷＣＤ）。
【請求項１９】
前記コンテキストコンテンツサーバが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定する、請求項１８に記載のＷＣＤ。
【請求項２０】
前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの前記少なくとも１つについての地図情報と、他の企業のための１つ以上の勧告と、クーポンと、前記宛先機器識別アイテムに関連する前記ロケーションまでの道順とのうちの少なくとも１つを含む、請求項１９に記載のＷＣＤ。
【請求項２１】
前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、請求項１９に記載のＷＣＤ。
【請求項２２】
前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の文脈的関連コンテンツアイテムを含む、請求項１９に記載のＷＣＤ。
【請求項２３】
前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、請求項１９に記載のＷＣＤ。
【請求項２４】
前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、請求項１９に記載のＷＣＤ。
【請求項２５】
前記コンテキストコンテンツサーバが、前記モバイル事業者と、前記広告サーバと、前記勧告サーバとのうちの少なくとも１つに関連する、請求項１９に記載のＷＣＤ。
【請求項２６】
前記通信モジュールが、
前記ＷＣＤに関連するユーザインターフェースから、ユーザが入力した電話番号を受信することと、
前記ＷＣＤに関連するアドレス帳から、ユーザが入力した電話番号を受信することと、
モバイル事業者が提供した複数の値から、ユーザが入力した値を受信することと、
前記着信呼から前記宛先機器識別アイテムを受信することと
を行うように更に動作可能である、請求項１８に記載のＷＣＤ。
【請求項２７】
前記通信モジュールが、
前記ＷＣＤに関連するロケーションセンサから前記ＷＣＤロケーション値を受信することと、
ユーザ入力から前記ＷＣＤロケーション情報を受信することと、
前記ＷＣＤに関連する電話番号の市外局番から前記ＷＣＤロケーション情報を受信することと、
ロケーションサーバから前記ＷＣＤロケーション情報を受信することと
を行うように更に動作可能である、請求項２０に記載のＷＣＤ。
【請求項２８】
前記通信モジュールが、
前記ＷＣＤに関連する１つ以上の動作間隔中に１つ以上の前記文脈的関連コンテンツアイテムのうちの少なくとも１つを受信するように更に動作可能であり、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、請求項１８に記載のＷＣＤ。
【請求項２９】
１つ以上の非文脈的関連コンテンツアイテムを表示するためのアプリケーションモジュールを更に備え、
前記通信モジュールが、
１つ以上の前記非文脈的関連コンテンツアイテムを表示する前記アプリケーションモジュールに関連するユーザ入力に応答して１つ以上の前記文脈的関連コンテンツアイテムを表示するように更に動作可能である、請求項２８に記載のＷＣＤ。
【請求項３０】
前記通信モジュールが、
ショートメッセージサービス（ＳＭＳ）プロトコルと、
拡張メッセージングサービス（ＥＭＳ）プロトコルと、
マルチメディアメッセージサービス（ＭＭＳ）プロトコルと、
インターネットプロトコル（ＩＰ）ソケットプロトコルと、
符号分割多重アクセス（ＣＤＭＡ）ベースのプロトコルと、
グローバル・システム・フォー・モバイル・コミュニケーションズ（ＧＳＭ）ベースのプロトコルと
のうちの少なくとも１つを使用して前記宛先機器識別アイテムを送信するように更に動作可能である、請求項１８に記載のＷＣＤ。
【請求項３１】
前記通信モジュールが、
ショートメッセージサービス（ＳＭＳ）通信データパケットと、
宛先機器電話番号と
のうちの少なくとも１つとして前記宛先機器識別アイテムを送信するように更に動作可能である、請求項１８に記載のＷＣＤ。
【請求項３２】
ワイヤレス通信機器（ＷＣＤ）に文脈的関連コンテンツを提供するための方法であって、前記方法が、
コンテキストコンテンツサーバによってＷＣＤから宛先機器識別アイテムを受信することと、
受信された前記宛先機器識別アイテムを処理することによって１つ以上の文脈的関連コンテンツアイテムを決定することと、
１つ以上の前記文脈的関連コンテンツアイテムのうちの少なくとも１つを前記ＷＣＤに送信することと
を備える、方法。
【請求項３３】
前記決定することが、
ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定すること
を更に備える、請求項３２に記載の方法。
【請求項３４】
前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、請求項３３に記載の方法。
【請求項３５】
前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、請求項３３に記載の方法。
【請求項３６】
前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の前記文脈的関連コンテンツアイテムを含む、請求項３３に記載の方法。
【請求項３７】
前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、請求項３３に記載の方法。
【請求項３８】
前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、請求項３３に記載の方法。
【請求項３９】
前記コンテキストコンテンツサーバが、前記モバイル事業者と、前記広告サーバと、前記勧告サーバとのうちの少なくとも１つに関連する、請求項３３に記載の方法。
【請求項４０】
前記ＷＣＤと前記宛先機器識別アイテムに関連する機器との間の通信経路を確立することを更に含み、
前記送信することが、前記ＷＣＤに関連する１つ以上の動作間隔中に１つ以上の前記文脈的関連コンテンツアイテムのうちの少なくとも１つを送信することを更に備え、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、請求項３２に記載の方法。
【請求項４１】
前記ＷＣＤからユーザプロファイル情報を受信することであって、前記ユーザプロファイル情報が、前に送信された文脈的関連コンテンツアイテムへの１つ以上のユーザ応答と、前に送信された文脈的関連コンテンツアイテムからのスパムの１つ以上の報告と、前記ＷＣＤのモデルに関連する属性の説明とのうちの少なくとも１つを含む、受信することと、
前記受信されたユーザプロファイル情報と前記宛先機器識別アイテムとの少なくとも一部分を記憶することと、
複数のユーザについての記憶されたユーザプロファイル情報と宛先機器識別アイテムとを処理することから、１つ以上の改良された文脈的関連コンテンツアイテムを生成することと
を更に含む、請求項３３に記載の方法。
【請求項４２】
１つ以上の改良された前記文脈的関連コンテンツアイテムが、前記ＷＣＤの前記モデルに関連する前記属性に基づく１つ以上の広告と、前記複数のユーザからの勧告に基づく関係する企業のための１つ以上の広告とのうちの少なくとも１つを含む、請求項４１に記載の方法。
【請求項４３】
前記受信することと、前記送信することとのうちの少なくとも１つが、
ショートメッセージサービス（ＳＭＳ）プロトコルと、
拡張メッセージングサービス（ＥＭＳ）プロトコルと、
マルチメディアメッセージサービス（ＭＭＳ）プロトコルと、
インターネットプロトコル（ＩＰ）ソケットプロトコルと、
符号分割多重アクセス（ＣＤＭＡ）ベースのプロトコルと、
グローバル・システム・フォー・モバイル・コミュニケーションズ（ＧＳＭ）ベースのプロトコルと
のうちの少なくとも１つを使用して前記宛先機器識別アイテムを受信又は送信することを更に含む、請求項３２に記載の方法。
【請求項４４】
前記受信することと、前記送信することとのうちの少なくとも１つが、
ショートメッセージサービス（ＳＭＳ）通信データパケットと、
宛先機器電話番号と
のうちの少なくとも１つとして前記宛先機器識別アイテムを受信又は送信することを更に含む、請求項３２に記載の方法。
【請求項４５】
ワイヤレス通信機器に文脈的関連コンテンツを提供するように構成された少なくとも１つのプロセッサであって、
コンテキストコンテンツサーバによってＷＣＤから宛先機器識別アイテムを受信するための第１のモジュールと、
受信された前記宛先機器識別アイテムを処理することによって１つ以上の文脈的関連コンテンツアイテムを決定するための第２のモジュールと、
１つ以上の前記文脈的関連コンテンツアイテムのうちの少なくとも１つを前記ＷＣＤに送信するための第３のモジュールと
を備えるプロセッサ。
【請求項４６】
コンピュータに、コンテキストコンテンツサーバによってＷＣＤから宛先機器識別アイテムを受信させるためのコードの第１のセットと、
前記コンピュータに、受信された前記宛先機器識別アイテムを処理することによって１つ以上の文脈的関連コンテンツアイテムを決定させるためのコードの第２のセットと、
前記コンピュータに、１つ以上の前記文脈的関連コンテンツアイテムのうちの少なくとも１つを前記ＷＣＤに送信させるためのコードの第３のセットと
を含むコンピュータ可読媒体を備えるコンピュータプログラム製品。
【請求項４７】
コンテキストコンテンツサーバによってＷＣＤから宛先機器識別アイテムを受信するための手段と、
受信された前記宛先機器識別アイテムを処理することによって１つ以上の文脈的関連コンテンツアイテムを決定するための手段と、
１つ以上の前記文脈的関連コンテンツアイテムのうちの少なくとも１つを前記ＷＣＤに送信するための手段と
を備える装置。
【請求項４８】
コンテキストコンテンツサーバによってＷＣＤから宛先機器識別アイテムを受信するように動作可能である通信モジュールと、
受信された前記宛先機器識別アイテムを処理することによって１つ以上の文脈的関連コンテンツアイテムを決定するように動作可能であるコンテキストコンテンツモジュールと、を備え、
前記通信モジュールが、
１つ以上の前記文脈的関連コンテンツアイテムのうちの少なくとも１つを前記ＷＣＤに送信するように更に動作可能である、コンテキストコンテンツサーバ。
【請求項４９】
前記コンテキストコンテンツモジュールが、
ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定するように更に動作可能である、請求項４８に記載のコンテキストコンテンツサーバ。
【請求項５０】
前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、請求項４９に記載のコンテキストコンテンツサーバ。
【請求項５１】
前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、請求項４９に記載のコンテキストコンテンツサーバ。
【請求項５２】
前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の前記文脈的関連コンテンツアイテムを含む、請求項４９に記載のコンテキストコンテンツサーバ。
【請求項５３】
前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、請求項４に記載のコンテキストコンテンツサーバ。
【請求項５４】
前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、請求項４９に記載のコンテキストコンテンツサーバ。
【請求項５５】
前記コンテキストコンテンツサーバが、前記モバイル事業者と、前記広告サーバと、前記勧告サーバとのうちの少なくとも１つに関連する、請求項４９に記載のコンテキストコンテンツサーバ。
【請求項５６】
前記通信モジュールが、
前記ＷＣＤと前記宛先機器識別アイテムに関連する機器との間の通信経路を確立するように更に動作可能であり、
前記送信することが、前記ＷＣＤに関連する１つ以上の動作間隔中に１つ以上の前記文脈的関連コンテンツアイテムのうちの少なくとも１つを送信することを更に含み、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、請求項４８に記載のコンテキストコンテンツサーバ。
【請求項５７】
前記通信モジュールが、
前記ＷＣＤからユーザプロファイル情報を受信するように更に動作可能であり、前記ユーザプロファイル情報が、前に送信された文脈的関連コンテンツアイテムへの１つ以上のユーザ応答と、前に送信された文脈的関連コンテンツアイテムからのスパムの１つ以上の報告と、前記ＷＣＤの前記モデルに関連する属性の説明とのうちの少なくとも１つを含み、
前記受信されたユーザプロファイル情報と前記宛先機器識別アイテムとの少なくとも一部分を記憶するように動作可能である記憶モジュールを更に備え、
前記コンテキストコンテンツモジュールが、
複数のユーザについての記憶されたユーザプロファイル情報と宛先機器識別アイテムとを処理することから、１つ以上の改良された文脈的関連コンテンツアイテムを生成するように更に動作可能である、請求項４８に記載のコンテキストコンテンツサーバ。
【請求項５８】
前記１つ以上の改良された文脈的関連コンテンツアイテムが、前記ＷＣＤの前記モデルに関連する前記属性に基づく１つ以上の広告と、前記複数のユーザからの勧告に基づく関係する企業のための１つ以上の広告とのうちの少なくとも１つを含む、請求項５７に記載のコンテキストコンテンツサーバ。
【請求項５９】
前記通信モジュールが、
ショートメッセージサービス（ＳＭＳ）プロトコルと、
拡張メッセージングサービス（ＥＭＳ）プロトコルと、
マルチメディアメッセージサービス（ＭＭＳ）プロトコルと、
インターネットプロトコル（ＩＰ）ソケットプロトコルと、
符号分割多重アクセス（ＣＤＭＡ）ベースのプロトコルと、
グローバル・システム・フォー・モバイル・コミュニケーションズ（ＧＳＭ）ベースのプロトコルと
のうちの少なくとも１つを使用して前記宛先機器識別アイテムを送信するように更に動作可能である、請求項４８に記載のコンテキストコンテンツサーバ。
【請求項６０】
前記通信モジュールが、
ショートメッセージサービス（ＳＭＳ）通信データパケットと、
宛先機器電話番号と
のうちの少なくとも１つとして前記宛先機器識別アイテムを送信するように更に動作可能である、請求項４８に記載のコンテキストコンテンツサーバ。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年１２月１１日に出願された仮出願第６１／１２１，８６１号の優先権を主張する。
【０００２】
開示する態様は、ネットワークを介したコンテンツプロバイダとワイヤレス通信機器との間のコンテキスト通信に関する。
【背景技術】
【０００３】
技術の進歩により、パーソナルコンピューティング機器は、より小型でより強力になった。例えば、現在、それぞれ小型、軽量であり、ユーザが容易に携帯することができるポータブルワイヤレス電話、携帯情報端末（ＰＤＡ）及びページング機器などのワイヤレスコンピューティング機器を含む、様々なポータブルパーソナルコンピューティング機器が存在する。より具体的には、ポータブルワイヤレス電話は、例えば、ワイヤレスネットワークを介してボイス及びデータパケットを通信するセルラー電話を更に含む。更に、多くのそのようなセルラー電話は、計算能力の比較的大きい向上を伴いながら製造されており、従って、小型パーソナルコンピュータ及びハンドヘルドＰＤＡと同等になりつつある。しかしながら、現在の小型パーソナルコンピュータとは異なり、これらの機器のコンテンツプロバイダは、当該のコンテンツを提供する際に制約を受ける。例えば、画面サイズ、利用可能なメモリ及びファイルシステム空間の量、入出力機能及び処理機能の量はそれぞれ、コンテンツプロバイダによって当該のコンテンツを提供される際に機器を制限することがある。
【０００４】
現在、ユーザは、例えばダイヤルされた電話番号を通して、企業体及び／又は事業体のコンテンツを提供されることについて限定されたオプションを有する。従って、ワイヤレス通信機器（ＷＣＤ）に文脈的関連コンテンツ（contextually relevant content）を提供するための改善された装置及び方法が望まれる。
【発明の概要】
【０００５】
以下で、１つ以上の態様の基本的理解を与えるために、そのような態様の簡略化された概要を提示する。この概要は、全ての企図された態様の包括的な概観ではなく、全ての態様の主要又は重要な要素を識別するものでも、いずれか又は全ての態様の範囲を定めるものでもない。その唯一の目的は、後で提示するより詳細な説明の導入として、１つ以上の態様の幾つかの概念を簡略化された形で提示することである。
【０００６】
１つ以上の態様及びその対応する開示に従って、ワイヤレス通信機器によって文脈的関連コンテンツを取得することに関して、様々な態様について説明する。一態様によれば、ワイヤレス通信機器によって文脈的関連コンテンツを取得するための方法を提供する。本方法は、ワイヤレス通信機器（ＷＣＤ）によって宛先機器識別アイテムを取得することを備えることができる。更に、本方法は、宛先機器識別アイテムをコンテキストコンテンツサーバに送信することであって、コンテキストコンテンツサーバが、受信された宛先機器識別アイテムを処理することによって１つ以上の文脈的関連コンテンツアイテムを決定する、送信することを備えることができる。その上、本方法は、コンテキストコンテンツサーバから、１つ以上の文脈的関連コンテンツアイテムのうちの少なくとも１つを受信することを備えることができる。
【０００７】
更に別の態様は、ワイヤレス通信機器によって文脈的関連コンテンツを取得するように構成された少なくとも１つのプロセッサに関する。少なくとも１つのプロセッサは、ワイヤレス通信機器（ＷＣＤ）によって宛先機器識別アイテムを取得するための第１のモジュールを含むことができる。更に、少なくとも１つのプロセッサは、宛先機器識別アイテムをコンテキストコンテンツサーバに送信するための第２のモジュールであって、コンテキストコンテンツサーバが、受信された宛先機器識別アイテムを処理することによって１つ以上の文脈的関連コンテンツアイテムを決定する、第２のモジュールを含むことができる。その上、少なくとも１つのプロセッサは、コンテキストコンテンツサーバから、１つ以上の文脈的関連コンテンツアイテムのうちの少なくとも１つを受信するための第３のモジュールを含むことができる。
【０００８】
更に別の態様は、コンピュータ可読媒体を備えるコンピュータプログラム製品に関する。コンピュータ可読媒体は、コンピュータに、ワイヤレス通信機器（ＷＣＤ）によって、宛先機器識別アイテムを取得させるためのコードの第１のセットを含むことができる。更に、コンピュータ可読媒体は、コンピュータに、宛先機器識別アイテムをコンテキストコンテンツサーバに送信させるためのコードの第２のセットであって、コンテキストコンテンツサーバが、受信された宛先機器識別アイテムを処理することによって１つ以上の文脈的関連コンテンツアイテムを決定する、コードの第２のセットを含むことができる。その上、コンピュータ可読媒体は、コンピュータに、コンテキストコンテンツサーバから、１つ以上の文脈的関連コンテンツアイテムのうちの少なくとも１つを受信させるためのコードの第３のセットを含むことができる。
【０００９】
更に別の態様は装置に関する。本装置は、ワイヤレス通信機器（ＷＣＤ）によって、宛先機器識別アイテムを取得するための手段を含むことができる。更に、本装置は、宛先機器識別アイテムをコンテキストコンテンツサーバに送信するための手段であって、コンテキストコンテンツサーバが、受信された宛先機器識別アイテムを処理することによって１つ以上の文脈的関連コンテンツアイテムを決定する、送信するための手段を備えることができる。その上、本装置は、コンテキストコンテンツサーバから、１つ以上の文脈的関連コンテンツアイテムのうちの少なくとも１つを受信するための手段を備えることができる。
【００１０】
別の態様は、ワイヤレス通信機器（ＷＣＤ）に関する。ＷＣＤは、ワイヤレス通信機器（ＷＣＤ）によって、宛先機器識別アイテムを取得することと、宛先機器識別アイテムをコンテキストコンテンツサーバに送信することであって、コンテキストコンテンツサーバが、受信された宛先機器識別アイテムを処理することによって１つ以上の文脈的関連コンテンツアイテムを決定する、送信することと、コンテキストコンテンツサーバから、１つ以上の文脈的関連コンテンツアイテムのうちの少なくとも１つを受信することとを行うように動作可能な通信モジュールを含むことができる。
【００１１】
更に、１つ以上の態様及びその対応する開示に従って、ワイヤレス通信機器（ＷＣＤ）に文脈的関連コンテンツを提供することに関して、様々な態様について説明する。一態様によれば、ＷＣＤに文脈的関連コンテンツを提供するための方法を提供する。本方法は、コンテキストコンテンツサーバによってＷＣＤから宛先機器識別アイテムを受信することを備えることができる。更に、本方法は、受信された宛先機器識別アイテムを処理することによって１つ以上の文脈的関連コンテンツアイテムを決定することを備えることができる。その上、本方法は、１つ以上の文脈的関連コンテンツアイテムのうちの少なくとも１つをＷＣＤに送信することを備えることができる。
【００１２】
更に別の態様は、ワイヤレス通信機器（ＷＣＤ）に文脈的関連コンテンツを提供するように構成された少なくとも１つのプロセッサに関する。少なくとも１つのプロセッサは、コンテキストコンテンツサーバによってＷＣＤから宛先機器識別アイテムを受信するための第１のモジュールを含むことができる。更に、少なくとも１つのプロセッサは、受信された宛先機器識別アイテムを処理することによって１つ以上の文脈的関連コンテンツアイテムを決定するための第２のモジュールを含むことができる。その上、少なくとも１つのプロセッサは、１つ以上の文脈的関連コンテンツアイテムのうちの少なくとも１つをＷＣＤに送信するための第３のモジュールを含むことができる。
【００１３】
更に別の態様は、コンピュータ可読媒体を備えるコンピュータプログラム製品に関する。コンピュータ可読媒体は、コンピュータに、コンテキストコンテンツサーバによってＷＣＤから宛先機器識別アイテムを受信させるためのコードの第１のセットを含むことができる。更に、コンピュータ可読媒体は、コンピュータに、受信された宛先機器識別アイテムを処理することによって１つ以上の文脈的関連コンテンツアイテムを決定させるためのコードの第２のセットを含むことができる。その上、コンピュータ可読媒体は、コンピュータに、１つ以上の文脈的関連コンテンツアイテムのうちの少なくとも１つをＷＣＤに送信させるためのコードの第３のセットを含むことができる。
【００１４】
更に別の態様は装置に関する。本装置は、コンテキストコンテンツサーバによってＷＣＤから宛先機器識別アイテムを受信するための手段を含むことができる。更に、本装置は、受信された宛先機器識別アイテムを処理することによって１つ以上の文脈的関連コンテンツアイテムを決定するための手段を備えることができる。その上、本装置は、１つ以上の文脈的関連コンテンツアイテムのうちの少なくとも１つをＷＣＤに送信するための手段を備えることができる。
【００１５】
別の態様は装置に関する。本装置は、コンテキストコンテンツサーバによってＷＣＤから宛先機器識別アイテムを受信するように動作可能な通信モジュールを含むことができる。更に、本装置は、受信された宛先機器識別アイテムを処理することによって１つ以上の文脈的関連コンテンツアイテムを決定するように動作可能なコンテキストコンテンツモジュールを含むことができる。その上、本装置の通信モジュールは、１つ以上の文脈的関連コンテンツアイテムのうちの少なくとも１つをＷＣＤに送信するように更に動作可能である。
【００１６】
上記及び関係する目的を達成するために、１つ以上の態様は、以下で十分に説明し、特に特許請求の範囲で指摘する特徴を備える。以下の説明及び添付の図面に、１つ以上の態様のうちの幾つかの例示的な特徴を詳細に記載する。但し、これらの特徴は、様々な態様の原理を採用することができる様々な方法のほんの幾つかを示すものであり、この説明は、全てのそのような態様及びそれらの均等物を含むものとする。
【００１７】
添付の図面とともに以下に説明する開示する態様は、開示する態様を限定するためではなく、開示する態様を例示するために与えられ、同様の表示は同様の要素を示す。
【図面の簡単な説明】
【００１８】
【図１】一態様による通信ネットワークのブロック図。
【図２】図１に示す態様の動作のフローチャート図。
【図３Ａ】一態様による、宛先機器を呼び出す通信機器の動作のメッセージシーケンス図。
【図３Ｂ】一態様による、宛先機器から呼を受信する通信機器の動作のメッセージシーケンス図。
【図４】一態様による、宛先機器識別アイテムを呼び出す通信機器の、複数の時間間隔にわたる例示的なスクリーンショット。
【図５】一態様による、電話番号から呼を受信する通信機器の、複数の時間間隔にわたる例示的なスクリーンショット。
【図６】通信機器の例示的なアーキテクチャのブロック図。
【図７】一態様による拡張システムの例示的なブロック図。
【図８】文脈的関連コンテンツを取得することができる例示的な通信機器のブロック図。
【図９】ワイヤレス通信機器に文脈的関連コンテンツを提供することができる例示的なネットワーク機器のブロック図。
【発明を実施するための形態】
【００１９】
次に、図面を参照しながら様々な態様について説明する。以下の記述では、説明の目的で、１つ以上の態様の完全な理解を与えるために多数の具体的な詳細を記載する。但し、そのような（１つ以上の）態様は、これらの具体的な詳細なしに実施できることは明らかであろう。
【００２０】
ワイヤレス機器への文脈的関連コンテンツ（contextually relevant content）の通信は、ネットワークを介したコンテキストコンテンツサーバとの対話を通して達成され得る。特に、本態様は、ワイヤレス機器が、例えば、別の機器への通信要求を行うとき、又は別の機器からの通信要求を受信したときに、別の機器と通信しようと試みることに応答して文脈的関連コンテンツアイテムを取得することを可能にする。更に、コンテキストコンテンツサーバは、機器間の通信を記憶及び／又は追跡し、そのような情報を使用して、機器への送信されたコンテンツアイテムの関連性に焦点を当て、及び／又は統合されたユーザプロファイル情報をさらなる分析のためにコンテンツ及び／又はサービスプロバイダに提供することができる。
【００２１】
図１を参照すると、一態様による通信ネットワーク１００のブロック図が示されている。通信ネットワーク１００は、通信ネットワーク１２０、例えば、ＣＤＭＡネットワーク、ＧＰＲＳネットワーク、ＵＭＴＳネットワーク、及び他のタイプの通信ネットワークに接続された通信機器１１０、１２２のうちの１つ以上を含むことができる。通信ネットワーク１００は、通信ネットワーク１２０に接続された複数のサーバ１３０、１４０、１５０、１６０、１７０、１８０を更に含むことができる。一態様では、複数のサーバは、コンテキストコンテンツサーバ１３０と、コンテンツサーバ１４０と、モバイル事業者サーバ１５０と、広告サーバ１６０と、ロケーションサーバ１７０と、勧告サーバ１８０とを含む。一態様では、コンテキストコンテンツサーバ１３０は、コンテンツサーバ１４０からのコンテキストコンテンツ１４２、モバイル事業者サーバ１５０からのモバイル事業者コンテンツ１５２、広告サーバ１６０からの広告主コンテンツ１６２、ロケーションサーバ１７０からのロケーションコンテンツ１７２、及び勧告サーバ１８０からの勧告コンテンツ１８０のうちの１つ又は複数を取得することができる。
【００２２】
一態様では、通信機器１１０は、ユーザインターフェース１１２と、コンテキストコンテンツモジュール１１４と、随意にロケーションモジュール１１８とを更に含むことができる。一態様では、コンテキストコンテンツモジュール１１４は、ユーザ機器情報分析、宛先機器情報分析など、さらなる分析を可能にするために、記憶モジュール１１６を更に含むことができる。一態様では、コンテキストコンテンツサーバ１３０は、機器１１０、１２２などの複数の機器、及び／又はコンテンツサーバ１４０、モバイル事業者サーバ１５０、広告サーバ１６０、ロケーションサーバ１７０、及び勧告サーバ１８０などのサーバから受信されたユーザ情報を記憶するデータストア１３２を更に含むことができる。そのような態様では、コンテキストコンテンツサーバ１３０は、データストア１３２に記憶された情報の分析によって幾つかのコンテンツアイテムの送信に対してバイアスし得る。例えば、前に提供されたコンテキストコンテンツアイテムが適切に実行しなかったという情報が機器１１０から受信された場合、コンテキストコンテンツサーバ１３０は、そのようなコンテンツアイテムの配信を中止し、コンテンツプロバイダ１４０に警報を出すことができる。別の例では、コンテキストコンテンツサーバ１３０は、データストア１３２に記憶された複数のユーザアクションを統合することによって、特定の番号を呼び出したユーザはまた、特定の製品に関連するコンテンツをしばしば参照したと決定することができる。そのような例示的な場合、特定の番号がダイヤルされたとき、特定の製品に関係する文脈的関連コンテンツアイテムが機器１１０に提供され得る。
【００２３】
一態様では、コンテンツサーバ１４０はコンテキストコンテンツアイテム１４２を更に含むことができる。そのようなコンテンツアイテムは、製品、サービス、個人、グループ、ロケーションなどに関連するクーポン、広告、告知などを含むことができる。例えば、コンテンツサーバ１４０は、特定の企業カテゴリーに関連するコンテキストコンテンツアイテム１４２を提供することができる。そのような態様では、ユーザは、番号をダイヤルすること、番号から呼を受信すること、オーディオベースのメッセージを生成及び／又は受信すること、テキストベースのメッセージを生成及び／又は受信することなどによって、宛先機器識別アイテムを取得することができる。そのようなオーディオベースのメッセージは、限定はしないが、ボイスメール、音楽ファイルなどを含むことができる。そのようなテキストベースのメッセージは、限定はしないが、ショートメッセージサービス（ＳＭＳ）メッセージ、拡張メッセージングサービスメッセージ（ＥＭＳ）メッセージ、マルチメディアメッセージサービス（ＭＭＳ）メッセージを含むことができる。一例では、コンテキストコンテンツサーバ１３０は、ダイヤルされた番号及び／又は発呼者番号を花屋に関連付けることができ、ダイヤルされた花屋及び／又はエリア中の他の花屋に関するコンテンツアイテムを提供することができる。
【００２４】
別の例では、コンテキストコンテンツサーバ１３０は、タグ、キーワード、ハッシュタグなどについて受信されたＳＭＳテキストをパースすることができ、パース(構文解析)された情報を１つ以上の文脈的関連コンテンツアイテムに関連付けることができる。例えば、ユーザは、特定の本のレファレンスを含むＳＭＳメッセージを送信することができる。そのような場合、コンテキストコンテンツサーバ１３０は、メッセージをパースすることができ、文脈的関連コンテンツとして、ユーザの近くにある書店のリスト、特定の本のためのクーポン、同じ著者による他の本、特定の本のレビューなどを提供することができる。
【００２５】
更に別の例では、コンテキストコンテンツサーバ１３０は、タグ、キーワードなどについてオーディオファイルのコンテンツを分析することができ、分析された情報を１つ以上の文脈的関連コンテンツアイテムに関連付けることができる。例えば、ユーザが、芸能人の名前に言及したボイスメールを受信した場合、コンテキストコンテンツサーバ１３０は、メッセージを分析し、通信機器１１０のロケーションから所定の距離内で、前記芸能人が次に出演するときの会場、日付、チケット入手可能性などを提供することができる。
【００２６】
一態様では、モバイル事業者サーバ１５０はモバイル事業者コンテンツアイテム１５２を更に含むことができる。そのようなコンテンツアイテムは、製品、サービス、個人、グループ、ロケーションなどに関連するクーポン、広告、告知などを含むことができる。例えば、ユーザが特定の番号を複数回呼び出す場合、及び／又は特定の番号からの呼を複数回受信した場合、コンテキストコンテンツサーバ１３０は、ユーザの呼び出し傾向をより良く処理するモバイル事業者からのサービスプランオプションを提供することができる。別の例では、ユーザが医師の番号を呼び出し、モバイル事業者が「健康」に関係するモバイルアプリケーションを有する場合、そのモバイル事業者は、そのようなアプリケーションを特定のユーザにより頻繁に提供することができる。
【００２７】
動作中、ユーザは、ユーザインターフェース１１２を使用して別の機器及び／又はエンティティに関連する電話番号などの宛先識別子にアクセスする。例えば、ユーザは、機器１１０のユーザインターフェース１１２に宛先識別子を入力することができる。別の例では、ユーザは、別の機器からボイス呼を受信したときに、機器１１０のユーザインターフェース１１２を使用して宛先識別子を閲覧することができる。更に別の例では、ユーザは、機器１１０のユーザインターフェース１１２を使用して、機器１１０に関連するアドレス帳に記憶された宛先識別子を閲覧することができる。その後、宛先識別情報と機器情報とをコンテキストコンテンツサーバ１３０に送信することができる。一態様では、機器情報は、ロケーションモジュール１１８によって決定されたロケーション値を含むことができる。別の態様では、機器情報は、機器１１０の製造元及びモデル情報、画面サイズ、記憶モジュール１１６中の利用可能な記憶空間、ユーザプロファイル情報などを含むことができる。宛先機器識別情報を受信すると、コンテキストコンテンツサーバ１３０は、機器１１０と宛先機器１２２との接続を処理することができる。同時に、コンテキストコンテンツサーバ１３０は、情報の中でも、受信された宛先機器情報と機器１１０情報とを分析し、機器１１０に送信すべき関係コンテキストコンテンツアイテムを決定することができる。そのような態様では、宛先機器１１２、ユーザ機器１１０、コンテンツプロバイダ１４０、モバイル事業者１５０などに関して関連性を分析することができる。その後、コンテキストコンテンツサーバ１３０は、関係コンテキストコンテンツアイテムを機器１１０に送信することができる。一態様では、宛先機器１２２との接続より前、宛先機器１２２との通信中、及び／又は宛先機器１２２との通信の終了後に送信を行うことができる。従って、文脈的関連コンテンツアイテムは、宛先機器１２２との試みられた通信に応答して機器１１０に提供され得る。
【００２８】
図２に、請求する主題による様々な方法を示す。説明を簡単にするために、方法を一連の行為として図示及び説明するが、幾つかの行為は本明細書で図示及び説明する行為とは異なる順序で、及び／又は他の行為と同時に、行うことができるので、請求する主題は行為の順序によって限定されないことを理解及び諒解されたい。例えば、方法は、状態図など、一連の相互に関連する状態又は事象として代替的に表現できることを当業者ならば理解し、諒解するであろう。更に、請求する主題による方法を実装するために、図示の全ての行為が必要とされるわけではない。更に、以下及び本明細書の全体にわたって開示する方法は、そのような方法をコンピュータに移送及び転送することを可能にする製造品に記憶することが可能であることを更に諒解されたい。本明細書で使用する製造品という用語は、任意のコンピュータ可読機器、キャリア、又は媒体からアクセス可能なコンピュータプログラムを包含するものとする。
【００２９】
図２を参照すると、参照番号２０２において、宛先機器識別アイテムを取得する。一態様では、宛先機器識別アイテムを取得することは、ＷＣＤに関連するユーザインターフェースから、ユーザが入力した電話番号を受信すること、ＷＣＤに関連するアドレス帳から、ユーザが入力した電話番号を受信すること、モバイル事業者が提供した複数の値から、ユーザが入力した値を受信すること、着信呼から宛先機器識別アイテムを受信することなどを更に含むことができる。別の態様では、宛先機器識別アイテムは、ショートメッセージサービスデータパケットの通信のために使用され得る。
【００３０】
参照番号２０４において、宛先機器電話を使用して識別された機器及び／又はエンティティとの接続を行う。一態様では、参照番号２０６〜２１４で説明する行為を行う前に接続を行うことができる。別の態様では、参照番号２０６〜２１４で説明する行為を行う間に接続を行うことができる。更に別の態様では、参照番号２０６〜２１４で説明する行為を行った後に接続を行うことができる。更に別の態様では、説明する機器に接続するタイミングは、通信を可能にするために使用されるネットワークを通して決定され得る。例えば、ＣＤＭＡネットワークでは、現在、ボイス及びデータの同時通信は不可能である。対照的に、ＵＭＴＳネットワークはボイス及びデータの通信を提供し、従って、ボイス会話中にコンテンツアイテムを機器に提供することができる。
【００３１】
参照番号２０６において、宛先機器識別アイテムをコンテキストサーバに送信する。一態様では、コンテキストコンテンツサーバは、アドレス帳に記憶された宛先機器識別アイテムに対応する名前、宛先機器識別アイテムに対応するアドレス、ユーザプロファイル情報及び／又は関係し得るアドレス帳中に存在する他の情報など、追加情報を受信することができる。
【００３２】
参照番号２０８において、文脈的関連コンテンツアイテムが利用可能であり得るかどうかを決定する。一態様では、コンテキストコンテンツサーバは、ＷＣＤロケーション値、宛先機器識別アイテムに関連するロケーション、宛先機器識別アイテムに関連する企業又は企業カテゴリー、広告サーバから取得された情報、勧告サーバから取得された情報、ロケーションサーバから取得された情報、ＷＣＤに関連するモバイル事業者から取得された情報などに関する文脈的関連コンテンツアイテムの関連性を決定することができる。そのような態様では、ＷＣＤロケーション値に関して決定された文脈的関連コンテンツアイテムは、気象情報、ローカルニュースフィード、ローカルイベント、ローカル時間、現地国固有の為替レート、現地国固有の株価指数トリガ、ＷＣＤのユーザに関連する１つ以上のソーシャルネットワーキングサイトフィード、ＷＣＤロケーション値から予め定義された距離内の、宛先機器識別アイテムの企業カテゴリーに関連する１つ以上の当該地点、地図情報、１つ以上の当該地点のうちの少なくとも１つについての地図情報、他の企業のための１つ以上の勧告、クーポン、又は宛先機器識別アイテムに関連するロケーションまでの道順などを含むことができる。更に、そのような態様では、宛先機器識別アイテムに関連するロケーションに関して決定された文脈的関連コンテンツアイテムは、気象情報、ローカルニュースフィード、企業名、企業アドレス、企業カテゴリー、予め定義された距離内の、企業カテゴリーに関連する１つ以上の当該地点、地図情報、企業カテゴリーに関連する１つ以上の当該地点のうちの少なくとも１つについての地図情報、企業カテゴリーに関係する１つ以上の企業、企業カテゴリーに関係する１つ以上の企業のための勧告、企業カテゴリーに関係する１つ以上の企業のうちの少なくとも１つまでの道順、又はＷＣＤロケーション値から宛先機器識別アイテムに関連するロケーションまでの道順などを含むことができる。更に、そのような態様では、ＷＣＤに関連するモバイル事業者、広告サーバ、ロケーションサーバなどに関して決定された文脈的関連コンテンツアイテムは、モバイル事業者に関連する１つ以上の広告、モバイル事業者に関連する１つ以上のコンテンツプロバイダからの１つ以上の広告、宛先機器識別アイテムの企業カテゴリーに関連する１つ以上の広告、ＷＣＤに関連するユーザのユーザプロファイルに関連する１つ以上の広告などを含むことができる。
【００３３】
参照番号２０８において、文脈的関連コンテンツアイテムが利用不可能であると決定された場合、参照番号２１０においてプロセスは停止する。対照的に、参照番号２０８において、１つ以上の文脈的関連コンテンツアイテムが利用可能であると決定された場合、参照番号２１２において、１つ以上の文脈的関連コンテンツアイテムのうちの少なくとも１つを、宛先機器識別アイテムの受信元である機器に送信する。
【００３４】
更に、参照番号２１４において、１つ以上の送信された文脈的関連コンテンツアイテムを機器によって受信する。一態様では、受信することは、宛先機器識別アイテムとの通信接続を開始するより前の間隔、宛先機器識別アイテムへの通信接続が完了するより前の間隔、通信接続が確立された後の通信中の間隔、又は接続が終了した後の間隔など、１つ以上の動作間隔中に受信することを含むことができる。
【００３５】
図３Ａを参照すると、メッセージシーケンス図の形態での、宛先機器との呼を確立するための、図１に示す主題の動作が示されている。一般に、通信機器３０２は宛先機器３１０と対話しようと試みることができる。そのような対話は、１つ以上のソースコンテンツサーバ３０６によって提供されたコンテンツをもつコンテキストコンテンツサーバ３０４を通して増強され得る。
【００３６】
シーケンスステップ３１２において、通信経路を確立するために、宛先機器３１０識別情報をユーザ機器３０２から宛先機器３１０に送信する。一態様では、宛先機器識別情報は、電話番号、ＩＰアドレス、ＭＡＣアドレス、ＵＲＬ、電子メールアドレス、ショートメッセージサービス（ＳＭＳ）データパケット、拡張メッセージングサービス（ＥＭＳ）データパケット、マルチメディアメッセージサービス（ＭＭＳ）データパケットなどを含むことができる。そのような態様では、電話番号を、ＶｏＩＰ通信、ＰＳＴＮ通信など、様々な通信プロトコルに関連付けることができる。別の態様では、ユーザ機器３０２は、ＷＣＤに関連するユーザインターフェースから、ユーザが入力した電話番号を受信すること、ＷＣＤに関連するアドレス帳から、ユーザが入力した電話番号を受信すること、モバイル事業者が提供した複数の値から、ユーザが入力した値を受信することなどによって、宛先機器３１０識別情報を取得することができる。シーケンスステップ３１４において、同じく宛先機器３１０識別情報をユーザ機器３０２からコンテキストコンテンツサーバ３０４に送信する。シーケンスステップ３１６において、コンテキストコンテンツサービスは、ユーザ機器３０２から受信された情報を処理する。一態様では、そのような情報はユーザ機器３０２のロケーション値を含むことができる。そのような態様では、ロケーション値は、ＧＰＳが取得したデータ、機器の電話番号の市外局番からロケーションを抽出すること、宛先機器識別アイテムのエリアコードからロケーションを抽出することなどに基づく、機器の物理的ロケーションに対応し得る。別の態様では、機器情報は、機器３０２の製造元及びモデル情報、画面サイズ、利用可能な記憶空間、ユーザプロファイル情報などを更に含むことができる。更に別の態様では、処理することは、ユーザ機器３０２に送信するための少なくとも１つの文脈的関連コンテンツアイテムを選択することを更に含む。一態様では、コンテキストコンテンツサーバ３０４は、ＷＣＤロケーション値、宛先機器識別情報、ＷＣＤに関連するモバイル事業者から取得された情報などに関するコンテキストコンテンツアイテムの関連性を決定することができる。
【００３７】
シーケンスステップ３１８において、コンテキストコンテンツサーバ３０４は、１つ以上のソースコンテンツサーバ３０６にユーザプロファイル情報などの情報を提供することができる。一態様では、コンテキストコンテンツサーバ３０４は、複数のユーザから、及び／又は、１つ以上のソースコンテンツサーバ３０６に情報を送信するより前の設定された持続時間にわたって、ユーザプロファイル情報を統合する。例えば、コンテキストコンテンツサーバ３０４は、幾つかの企業体に関するユーザの呼パターンに関連する情報を提供することができる。シーケンスステップ３２０において、少なくとも１つのソースコンテンツサーバ３０６は、コンテキストコンテンツサーバ３０４から受信された情報を処理することができる。一態様では、１つ以上のソースコンテンツサーバは、コンテンツサーバ１４０と、モバイル事業者サーバ１５０と、広告サーバ１６０と、ロケーションサーバ１７０と、勧告サーバ１８０とを含むことができる。更に、そのような処理は、ユーザ機器に送信するために提供すべき１つ及び／又は複数のコンテンツアイテム（例えば、広告、クーポン、勧告、ローカルニュース、気象、時間、宛先機器企業又は関係する企業までの道順など）を選択することを含むことができる。シーケンスステップ３２２において、文脈的関連コンテンツアイテムをコンテンツサーバ３０４に送信する。一態様では、シーケンスステップ３１４などにおいて、ユーザ要求に応答して、そのような送信が行われる。別の態様では、所定の間隔での統合されたユーザ情報の送信など、コンテキストコンテンツサーバ送信に応答して、そのような送信が行われる。別の態様では、そのような送信が周期的に行われる。更に別の態様では、ユーザがアドレス帳にアクセスするなどのトリガイベントが発生した結果として、そのような送信が行われ、それにより、各受信されたエントリ（例えば、アドレス帳中の名前、電話番号）にわたって反復し得る、アドレス帳のコンテンツの少なくとも一部分がコンテキストコンテンツサーバ３０４に送信され得る。そのような態様では、動作中、コンテキストサーバ３０４は、コンテンツサーバ１４０、モバイル事業者サーバ１５０、広告サーバ１６０、ロケーションサーバ１７０、及び勧告サーバ１８０などのソースコンテンツサーバ３０６からコンテキスト関係情報を収集することができ、コンパイルされた情報を機器３０２に返送することができる。従って、アクセスされたアドレス帳は、次いで、受信されたコンテンツ情報で更新され得る。
【００３８】
シーケンスステップ３２４において、コンテキストコンテンツサーバ３０４は、ソースコンテンツサーバ３０６から受信されたコンテキストコンテンツアイテムを更に処理する。一態様では、コンテンツアイテムを、後で送信するためにコンテキストコンテンツサーバ３０４に記憶することができる。別の態様では、コンテンツサーバ３０６についてのビリング、監査、合理化などを可能にするために、コンテンツサーバ３０６メトリックを記憶及び／又は分析することができる。シーケンスステップ３２６において、選択された関係コンテキストコンテンツアイテムをユーザ機器３０２に送信する。例えば、ユーザが特定の会場のチケットラインを呼び出している場合、その会場において行われている演目に関連するコンテンツアイテムをユーザ機器３０２に送信することができる。
【００３９】
シーケンスステップ３２８において、コンテキストコンテンツサーバ３０４は、宛先機器３１０と通信するために宛先機器識別情報を使用する。一態様では、コンテキストコンテンツアイテムを宛先機器３１０に提供することができる。シーケンスステップ３３０において、宛先機器は、ユーザ機器３０２からの通信要求を受け付けるべきかどうかを決定し、シーケンスステップ３３２において、通信経路を確立する。
【００４０】
図３Ｂを参照すると、メッセージシーケンス図の形態での、宛先機器から呼を受信するための、図１に示す主題の動作が示されている。明快のために、図３Ａ中に示されるものと実質的に同様に行われるシーケンスステップは、図３Ａにおいて使用された番号付けに関して番号付けされる。
【００４１】
シーケンスステップ３３４において、通信経路を確立するために、宛先機器３１０受信識別情報を宛先機器３１０からユーザ機器３０２に送信する。シーケンスステップ３１４〜３３２は、図３Ａを参照しながら説明したシーケンスステップと実質的に同様に行われる。従って、シーケンスステップ３３６において、ユーザ機器３０２は、宛先機器３１０からの通信要求を受け付けるべきかどうかを決定し、シーケンスステップ３３２において、通信経路を確立する。
【００４２】
一態様では、機器３０２に送信される文脈的関連コンテンツアイテムを、シーケンスステップ３２６などにおいて、（図３などに示す）宛先機器３１０との接続より前、宛先機器３１０との通信中、及び／又は機器３１０との通信の終了後に、ユーザ機器３０２に送信することができる。別の態様では、文脈的関連コンテンツをいつ機器３０２に送信することができるかを、通信が処理されるネットワークを通して決定することができる。例えば、現在、ＣＤＭＡネットワークは、機器３０２と機器３１０との間のアクティブな通信中にコンテキストコンテンツの通信を可能にしないことがある。
【００４３】
図４を参照すると、左から右への矢印によって示されるように、時間４０９が進むにつれて機器４１０が呼を行う際の、通信システム４００中の通信機器４１０上の２つのアプリケーション間の対話を示す例示的なスクリーンショットが示されている。図示のように、通信機器４１０は、通信機器４１０への入力を生成するための入力機構４２４と、通信機器４１０のユーザよって消費される情報を生成するための出力機構４１１とを含む。例えば、入力機構４２４は、キー又はキーボード、マウス、タッチスクリーンディスプレイ、マイクロフォンなどの機構を含むことができる。更に、例えば、出力機構４１１は、画面４１２、オーディオスピーカー、触覚フィードバック機構、パーソナルエリアネットワーク（ＰＡＮ）トランシーバなどを含むことができる。そのような例示的な態様では、出力機構４１１は、着信呼からの入力電話番号を表示するか、又はすでに電話番号を含み得る、機器４１０上のアドレス帳アプリケーションを立ち上げることができる。図示の態様では、出力機構４１１は、画像又はビデオ形式のメディアコンテンツを提示するように動作可能な画面４１２、及び／又はオーディオ形式のメディアコンテンツを提示するオーディオスピーカーを含むことができる。一態様では、コンテキストコンテンツアプリケーション４２２がバックグラウンド(背景)で動作している間、ユーザは、フォアグラウンド(前景)において宛先機器識別アプリケーション４１４などの選択されたアプリケーションと対話していることができる。別の態様では、コンテキストコンテンツアプリケーション４２２は、呼、イベントなど（着信／発信）を機器オペレーティングシステムに登録し、登録されたイベントのいずれかが発生したときに呼び出され得る。更に、図示された態様では、通信機器４１０は、地図／道順４１６、クーポン４１８、広告４２０など、複数の追加のコンテンツアイテムについてのオプションを含む画面４１２をユーザに提示する。
【００４４】
図示された態様では、第１の時間間隔４０１において、コンテキストコンテンツモジュール４２２が通信機器４１０のバックグラウンドで動作している間、宛先機器識別モジュール（例えば、宛先機器電話番号、ショートメッセージサービスユーザ入力）４１４はフォアグラウンドで動作していることができる。一態様では、時間間隔４０１中、画面４１２を通して文脈的関連コンテンツを表示することができる。例えば、ユーザはウェブブラウザなどのアプリケーションを実行することができる。そのような例示的な態様では、ユーザが、ウェブブラウザを通して表示された番号に関連する選択を行うと、ユーザ選択に関連する文脈的関連コンテンツが提供される。更に、図示された態様では、時間間隔４０１において、ユーザは、宛先機器識別選択、例えば、その電話番号についてユーザが記憶した名前、その電話番号についてユーザが記憶したアドレスなどを提供する。一態様では、宛先機器との試みられた接続は、ワイヤレスネットワークによって採用される適用可能なプロトコルを使用することができる。その後、宛先機器４１０に文脈的関連コンテンツを提供することを可能にするために、機器識別情報と機器４１０識別情報とがコンテキストコンテンツサーバに送信される。時間間隔４０３において、宛先機器との接続が処理４２６である間、コンテキストコンテンツサーバは文脈的関連コンテンツアイテム４２８を提供する。時間間隔４０５において、宛先機器との接続を確立する。そのような時間間隔中、一態様では、接続が確立されている４３０の間、コンテキストコンテンツサーバは文脈的関連コンテンツアイテム４２８を提供する。更に、時間間隔４０７において、宛先機器との通信が終了した４３０の後、コンテキストコンテンツサーバは文脈的関連コンテンツアイテム４２８を提供する。更に、文脈的関連コンテンツは、様々な状態において（例えば、呼を行う４０１の前、呼を接続している４０３の間、呼がすでに接続されている４０５の間、呼が完了した４０７の後）ユーザに提供され得、各状態において異なることがある（例えば、コンテンツは、これらの異なる状態又は他の状態にわたって同じでないことがある）ことに留意されたい。
【００４５】
図５を参照すると、左から右への矢印によって示されるように、時間５１０が進むにつれて機器５０９が呼を受信する際の、通信システム５００中の通信機器５１０上の２つのアプリケーション間の対話を示す例示的なスクリーンショットが示されている。図示のように、通信機器５１０は、通信機器５１０への入力を生成するための入力機構５２４と、通信機器５１０のユーザよって消費される情報を生成するための出力機構５１１とを含む。例えば、入力機構５２４は、キー又はキーボード、マウス、タッチスクリーンディスプレイ、マイクロフォンなどの機構を含むことができる。更に、例えば、出力機構５１１は、画面５１２、オーディオスピーカー、触覚フィードバック機構、パーソナルエリアネットワーク（ＰＡＮ）トランシーバなどを含むことができる。そのような例示的な態様では、出力機構５１１は、着信呼からの入力電話番号を表示するか、又はすでに電話番号を含むことができる、機器５１０上のアドレス帳アプリケーションを立ち上げることができる。図示の態様では、出力機構５１１は、画像又はビデオ形式のメディアコンテンツを提示するように動作可能な画面５１２、及び／又はオーディオ形式のメディアコンテンツを提示するオーディオスピーカーを含むことができる。一態様では、コンテキストコンテンツアプリケーション５２２がバックグラウンドで動作している間、ユーザは、フォアグラウンドにおいて宛先機器識別アプリケーション５１４などの選択されたアプリケーションと対話していることができる。別の態様では、コンテキストコンテンツアプリケーション５２２は、呼、イベントなど（着信／発信）を機器オペレーティングシステムに登録し、登録されたイベントのいずれかが発生したときに呼び出され得る。更に、図示された態様では、通信機器５１０は、地図／道順５１６、クーポン５１８、広告５２０など、複数の追加のコンテンツアイテムについてのオプションを含む画面５１２をユーザに提示する。
【００４６】
図示された態様では、第１の時間間隔５０１において、着信呼処理状態５２６が発生し得る。一態様では、ユーザ機器５１０との接続が処理している間、コンテキストコンテンツサーバは文脈的関連コンテンツアイテム５２８を提供する。時間間隔５０３において、ユーザ機器５１０が呼を受け付けた後、宛先機器とユーザ機器５１０との間に接続が確立される。そのような時間間隔中、一態様では、接続が確立されている５３０の間、コンテキストコンテンツサーバは文脈的関連コンテンツアイテム５２８を提供する。更に、時間間隔５０５において、宛先機器との通信が終了した５３０の後、コンテキストコンテンツサーバは文脈的関連コンテンツアイテム５２８を提供する。更に、文脈的関連コンテンツは、様々な状態において（例えば、呼が着信している５０１の間、呼がすでに接続されている５０３の間、呼が完了した５０５の後）ユーザに提供され得、各状態において異なることがある（例えば、コンテンツは、これらの異なる状態又は他の状態にわたって同じないことがある）ことに留意されたい。
【００４７】
一態様では、文脈的関連コンテンツアイテム５２８の入手可能性は、通信を可能にするために使用されるネットワークを通して決定され得る。例えば、ＣＤＭＡネットワークでは、現在、ボイス及びデータの同時通信は不可能である。対照的に、ＵＭＴＳネットワークはボイス及びデータの通信を提供し、従って、ボイス会話中にコンテンツアイテムを機器に提供することができる。更に、一態様では、機器動作がコンテキストコンテンツの入手可能性を制限し得る。例えば、ワイヤレス機器は呼中にユーザの耳の近くに配置され得るので、そのような通信中にコンテンツを提供することはコスト効果的でないことがある。そのような例示的な態様では、スピーカーフォンオプションが使用されているかどうかなどの機器機能情報は、機器にコンテンツアイテムをいつ提供すべきかの決定を支援することができる。追加又は代替として、例えば、ビープ又は振動など、ユーザの注意を電話画面に引きつけるための出力機構を採用することができる。
【００４８】
図１を依然として参照しながら、図６をも参照すると、通信機器１１０の例示的なアーキテクチャが示されている。図６に示すように、ワイヤレス機器６００は、例えば、受信アンテナ（図示せず）から信号を受信する受信機６０２を備え、受信信号に対して典型的な動作（例えば、フィルタ処理、増幅、ダウンコンバートなど）を行い、サンプルを得るために調整された信号をデジタル化する。受信機６０２は、受信されたシンボルを復調し、チャネル推定のためにプロセッサ６０６に供給することができる復調器６０４を備えることができる。プロセッサ６０６は、受信機６０２によって受信された情報の分析及び／又は送信機６２０による送信のための情報の生成に専用のプロセッサ、モバイル機器６００の１つ以上のコンポーネントを制御するプロセッサ、及び／又は受信機６０２によって受信された情報の分析、送信機６２０による送信のための情報の生成、並びにモバイル機器６００の１つ以上のコンポーネントの制御を行うプロセッサとすることができる。更に、プロセッサ６０６は、いずれか又は多くの利用可能なプロトコルを使用した通信のためのメッセージを処理及び／又は生成することができる。例えば、そのようなプロトコルは、ハイパーテキスト転送プロトコル（ＨＴＴＰ）、インターネット（登録商標）プロトコル（ＩＰ）ソケットプロトコル、ショートメッセージサービス（ＳＭＳ）プロトコル、及び符号分割多重アクセス（ＣＤＭＡ）ベースのプロトコルやグローバル・システム・フォー・モバイル・コミュニケーションズ（ＧＳＭ（登録商標））ベースのプロトコルなどの任意のワイヤード及び／又はワイヤレスネットワークプロトコルを含むことができる。
【００４９】
モバイル機器６００は、更に、メモリ６０８を備えることができ、メモリ６０８は、プロセッサ６０６に動作可能に結合され、送信すべきデータ、受信されたデータ、利用可能なチャネルに関係する情報、分析された信号及び／又は干渉強度に関連するデータ、割当てチャネル、電力、レートなどに関係する情報、並びにチャネルを推定し、そのチャネルを介して通信するための他の適切な情報を記憶することができる。一態様では、メモリ６０８は、限定はしないが、広告、クーポン、気象情報、関係する企業に関する勧告（例えば、ユーザがピザストアに呼を行った場合は、近くのムービーレンタルショップに関する情報が提供され得る）、宛先に関するローカルニュースフィード、宛先におけるローカル時間、ソーシャルネットワーキングサイトフィード、ＷＣＤの近くの当該地点、地図情報、ＷＣＤロケーション値の予め定義された距離内の、宛先機器の企業カテゴリーに関連する少なくとも１つの当該地点についての地図情報、宛先機器識別アイテムに関連するロケーションまでの道順、宛先についての観光旅行情報、ユーザの発呼側都市から電話番号に対応する宛先都市へのフライトについての広告など、１つ以上のコンテキストコンテンツアイテム６１０を含むことができる。一態様では、メモリ６０８はアドレス帳６１２を更に備えることができる。そのような態様では、アドレス帳６１２は、おそらくアドレス帳中のエントリごとに複数の電話番号とコンテキストコンテンツアイテム６１０を含むことができる。別の態様では、あるコンテキストコンテンツアイテム６１０は、アドレス帳６１２に記憶された複数の電話番号にわたって共通であり得る。メモリ６０８は、更に（例えばパフォーマンスベース、容量ベースなどの）チャネルの推定及び／又は利用に関連するプロトコル及び／又はアルゴリズムを記憶することができる。
【００５０】
本明細書で説明するデータストア（例えば、メモリ６０８）は、揮発性メモリ又は不揮発性メモリのいずれかとすることができ、若しくは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）など、多くの形態が利用可能である。主題のシステム及び方法のメモリ６０８は、これら及び他の適切なタイプのメモリを、これらに限定されることなく、備えることができる。
【００５１】
モバイル機器６００は、機器６００が文脈的関連コンテンツアイテムを取得することを可能にするためのコンテキストコンテンツモジュール６３０を更に含むことができる。コンテキストコンテンツモジュール６３０は、機器６００の現在のロケーションを決定することを支援するロケーションモジュール６３４と、当該の宛先機器を識別する電話番号モジュール６３２とを更に含むことができる。一態様では、電話番号モジュール６３２は、宛先機器の電話番号、ＩＰアドレス、ＭＡＣアドレス、ＵＲＬ、電子メールアドレス、ショートメッセージサービス（ＳＭＳ）データパケット、拡張メッセージングサービス（ＥＭＳ）データパケット、マルチメディアメッセージサービス（ＭＭＳ）データパケットなどを含むことができる。コンテキストコンテンツモジュール６３０は、その後、機器６００上に表示するための文脈的関連コンテンツアイテムを受信するように、宛先機器情報と機器６００情報とをコンテキストコンテンツサーバに更に提供することができる。一態様では、宛先機器情報は、コンテキストコンテンツサーバ（例えば１３０）によって計算することもできる。
【００５２】
更に、モバイル機器６００はユーザインターフェース６４０を含むことができる。ユーザインターフェース６４０は、通信機器６００への入力を生成するための入力機構６４２と、通信機器６００のユーザよって消費される情報を生成するための出力機構６４２とを含む。例えば、入力機構６４２は、キー又はキーボード、マウス、タッチスクリーンディスプレイ、マイクロフォンなどの機構を含むことができる。更に、例えば、出力機構６４４は、表示、オーディオスピーカー、触覚フィードバック機構、パーソナルエリアネットワーク（ＰＡＮ）トランシーバなどを含むことができる。図示の態様では、出力機構６４４は、画像又はビデオ形式のメディアコンテンツを提示するように動作可能なディスプレイ、又はオーディオ形式のメディアコンテンツを提示するオーディオスピーカーを含むことができる。宛先機器に接続し、文脈的関連コンテンツアイテムを取得している通信機器の例示的なスクリーンショットは、図４及び図５に関してより詳細に提示され、説明されている。
【００５３】
図７を参照すると、図１に示したコンテキストコンテンツサーバ１３０など、コンテキストコンテンツシステム７００の詳細ブロック図が示されている。コンテキストコンテンツシステム７００は、任意のタイプのハードウェア、サーバ、パーソナルコンピュータ、ミニコンピュータ、メインフレームコンピュータ、又は専用若しくは汎用いずれかの任意のコンピューティング機器のうちの少なくとも１つを含むことができる。更に、本明細書において、コンテキストコンテンツシステム７００上で動作すると説明されたか、又はコンテキストコンテンツシステム７００によって実行されると説明されたモジュール及びアプリケーションは、図７に示すように単一のネットワーク機器上で完全に実行するか、又は、代替的に、他の態様では、別個のサーバ、データベース又はコンピュータ機器が協調して動作し、使用可能なフォーマットのデータを当事者に提供することができ、及び／又は通信機器１１０とコンテキストコンテンツシステム７００によって実行されるモジュール及びアプリケーションとの間のデータフローにおける別個の制御レイヤを提供することができる。
【００５４】
コンテキストコンテンツシステム７００は、ワイヤードネットワーク及びワイヤレスネットワーク上でデータを送信及び受信することができ、ルーチン及びアプリケーションを実行することができるコンピュータプラットフォーム７０２を含む。コンピュータプラットフォーム７０２は、読取り専用及び／又はランダムアクセスメモリ（ＲＯＭ及びＲＡＭ）、ＥＰＲＯＭ、ＥＥＰＲＯＭ、フラッシュカード、又はコンピュータプラットフォームに共通したいずれかのメモリなどの揮発性及び不揮発性メモリを備えることができるメモリ７０４を含む。更に、メモリ７０４は、１つ以上のフラッシュメモリセルを含むか、又は磁気媒体、光学媒体、テープ、若しくはソフトもしくはハードディスクなど、２次又は３次記憶機器とすることができる。更に、コンピュータプラットフォーム７０２は、特定用途向け集積回路（「ＡＳＩＣ」）、又は他のチップセット、論理回路、若しくは他のデータ処理機器とすることができるプロセッサ７３０をも含む。プロセッサ７３０は、ワイヤードネットワーク又はワイヤレスネットワーク上でのネットワーク機器の動作を可能にする、ハードウェア、ファームウェア、ソフトウェア、及びそれらの組合せで実施される様々な処理サブシステム７３２を含む。
【００５５】
コンピュータプラットフォーム７０２は、コンテキストコンテンツシステム７００の様々なコンポーネント間の通信、及びコンテキストコンテンツシステム７００、機器１１０、１２２、及びサーバ１４０、１５０、１６０、１７０、１８０の間の通信を可能にする、ハードウェア、ファームウェア、ソフトウェア、及びそれらの組合せで実施される通信モジュール７５０を更に含む。通信モジュール７５０は、ワイヤレス通信接続を確立するための必要なハードウェア、ファームウェア、ソフトウェア、及び／又はそれらの組合せを含むことができる。説明する態様によれば、通信モジュール７５０は、ワイヤレス通信機器１１０に文脈的関連コンテンツを提供するために必要なハードウェア、ファームウェア及び／又はソフトウェアを含む。
【００５６】
コンピュータプラットフォーム７０２は、ハードウェア、ファームウェア、ソフトウェア、及びそれらの組合せにおいて実施され、特に機器１１０から通信された情報に対応する、機器１１０から受信された情報を処理することを可能にするメトリックモジュール７４０を更に含む。一態様では、コンテキストコンテンツシステム７００は、機器１１０に文脈的関連コンテンツアイテムを提供するための関連性決定を変更するために、メトリックモジュール７４０を通して、受信されたデータを分析することができる。例えば、メトリックモジュール７４０が、前に提供されたコンテキストコンテンツアイテムが適切に実行しなかったという情報を機器１１０から受信した場合、メトリックモジュールは、そのようなコンテンツアイテムの配信を中止し、コンテンツプロバイダ１４０に警報を出すことができる。別の例では、メトリックモジュール７４０は、複数のユーザアクションを統合することによって、特定の番号を呼び出したユーザはまた、特定の製品に関連するコンテンツをしばしば参照したと決定することができる。そのような例示的な場合、特定の番号にダイヤルすること、特定の番号からの呼を受信すること、特定の番号にアクセスするために、機器に関連するアドレス帳を使用することなどによって、特定の番号がアクセスされると、ユーザに、特定の製品に関係する文脈的関連コンテンツアイテムが提供され得る。
【００５７】
コンテキストコンテンツシステム７００のメモリ７０４は、コンテンツサーバ１４０及びモバイル事業者サーバ１５０などのコンテンツプロバイダからワイヤレス又はワイヤードネットワーク１２０にわたって機器１１０などのワイヤレス通信機器（ＷＣＤ）に文脈的関連コンテンツを提供するように動作可能なコンテキストコンテンツモジュール７１０を含む。コンテキストコンテンツモジュール７１０は、ソースコンテンツプロバイダコンテンツアイテム７１２を含むことができる。一態様では、ソースコンテンツプロバイダコンテンツアイテム７１２は、モバイル事業者サーバ１５０、広告サーバ１６０、ロケーションサーバ１７０、及び勧告サーバ１８０など、複数のサーバからのコンテンツを含むことができる。一態様では、ソースコンテンツプロバイダコンテンツアイテム７１２は、製品、サービス、個人、グループ、ロケーションなどに関連するクーポン、広告、告知などを含むことができる。例えば、コンテキストコンテンツモジュール７１０は、広告サーバとインターフェースすることができ、広告サーバは企業が電話番号に基づいて広告することを可能にする（例えば、ピザ会社は、競合者の番号に呼が行われると、５ドルのクーポンについての広告をポスティングすることができる）。別の例では、広告主は、電話番号がマッピングするロケーションに基づいて広告をポスティングすることができる（例えば、電話番号が診療室にマッピングする場合、薬局は、それらの薬局情報をユーザに広告することができる）。そのような例示的な態様では、広告主は、それらがカバーするエリアに基づいて別様に課金され得る（例えば、特定の６平方マイルのエリア中で呼が行われた場合に自分の広告を見せることを望むことを広告主が選択した場合、１０平方マイルのエリアでは、料金がより高くなり得る）。
【００５８】
別の態様では、コンテキストコンテンツモジュール７１０は、勧告サーバ１８０などの勧告サーバとインターフェースすることができる。そのような態様では、勧告サーバは、関係する企業を識別することができ、次いで、広告サーバなどの他のサーバは、広告などを示すためにこの情報を使用することができる（例えば、ユーザがピザを注文するためにピザ会社に呼を行うと、勧告サーバは、ユーザが前記ピザを食べながらムービーを見ることを望み得ることを識別し、この情報に基づいて、広告サーバは近くのムービーレンタルショップの広告を示すことができる）。
【００５９】
コンテキストコンテンツモジュール７１０は、コンテンツプロバイダコンテンツアイテム７１２及び／又はモバイル事業者コンテンツアイテム７１４などのコンテンツをネットワーク１２０にわたって配信することが可能な、ユニキャスト配信、ブロードキャスト配信、マルチキャスト配信、又は任意の他の知られている又は将来の知られているワイヤレス配信機構を提供することができる。一態様では、コンテキストコンテンツモジュール７１０は、７１２、７１４のうちのどのコンテンツアイテムをワイヤレス機器１１０に送信することができるかを決定することができる。一態様では、メトリックモジュール７４０は、幾つかのコンテンツアイテム７１２、７１４に対して選択をバイアスするために、コンテキストコンテンツモジュール７１０に関連性指示を提供することができる。
【００６０】
動作中、例えば、機器１１０は、機器１５０などの宛先機器に接続するように試みることができる。一態様では、電話番号などの宛先機器情報、及びロケーション値などの開始機器情報などをコンテキストコンテンツシステム７００に送信することができる。その後、コンテキストコンテンツサーバ７００は、コンテキストコンテンツシステム７００において受信された情報及び記憶された情報を処理することを通して、前述のような文脈的関連コンテンツを取得することができる。接続プロセス中の所定の時間において、例えば、接続する前、アクティブな接続中、又は、接続終了後に、開始機器に文脈的関連コンテンツアイテムを提供する。従って、開始機器は、宛先エンティティ及び／又は同様のエンティティに関係するコンテンツアイテムを表示することができる。
【００６１】
図８を参照すると、文脈的関連コンテンツを取得することができる例示的なシステム８００のブロック図が示されている。例えば、システム８００は、少なくとも部分的にワイヤレス機器内に常駐することができる。別の例示的な態様によれば、システム８００は、少なくとも部分的にアクセス端末内に常駐することができる。システム８００は機能ブロックを含むものとして表されており、その機能ブロックは、プロセッサ、ソフトウェア、又はそれらの組合せ（例えば、ファームウェア）によって実装される機能を表す機能ブロックとすることができることを諒解されたい。システム８００は、連携して動作することができる手段の論理グルーピング８０２を含む。例えば、論理グルーピング８０２は、ワイヤレス通信機器（ＷＣＤ）によって宛先機器識別アイテムを取得するための手段を含むことができる。一態様では、宛先機器識別アイテムを取得することは、ＷＣＤに関連するユーザインターフェースから、ユーザが入力した電話番号を受信すること、ＷＣＤに関連するアドレス帳から、ユーザが入力した電話番号を受信すること、モバイル事業者が提供した複数の値から、ユーザが入力した値を受信すること、着信呼から宛先機器識別アイテムを受信することなどを更に含むことができる。別の態様では、コンテキストコンテンツサーバが１つ以上の文脈的関連コンテンツアイテムを決定するのを支援するために、ＷＣＤロケーション値を取得することができる。そのような態様では、ＷＣＤロケーション値は、ＷＣＤに関連するロケーションセンサからＷＣＤロケーション値を受信すること、ユーザ入力からＷＣＤロケーション情報を受信すること、ＷＣＤに関連する電話番号の市外局番からＷＣＤロケーション情報を受信すること、ロケーションサーバからＷＣＤロケーション情報を受信することなどによって取得され得る。
【００６２】
更に、論理グルーピング８０２は、宛先機器識別アイテムをコンテキストコンテンツサーバに送信するための手段であって、コンテキストコンテンツサーバが、受信された宛先機器識別アイテム８０６を処理することによって１つ以上の文脈的関連コンテンツアイテムを決定する、送信するための手段を備えることができる。コンテキストコンテンツサーバは、アドレス帳に記憶された宛先機器識別アイテムに対応する名前、宛先機器識別アイテムに対応するアドレス、ユーザプロファイル情報及び／又は関係し得るアドレス帳中に存在する他の情報など、追加情報を受信することができることに注意されたい。そのような態様では、次いで、コンテキストコンテンツサーバは、モバイル機器に、更に処理された結果を提供するために、この情報を採用することができる。一態様では、コンテキストコンテンツサーバは、ＷＣＤロケーション値、宛先機器識別アイテムに関連するロケーション、宛先機器識別アイテムに関連する企業又は企業カテゴリー、広告サーバから取得された情報、勧告サーバから取得された情報、ロケーションサーバから取得された情報、ＷＣＤに関連するモバイル事業者から取得された情報などに関する文脈的関連コンテンツアイテムの関連性を決定することができる。そのような態様では、ＷＣＤロケーション値に関して決定された文脈的関連コンテンツアイテムは、気象情報、ローカルニュースフィード、ローカルイベント、ローカル時間、現地国固有の為替レート、現地国固有の株価指数トリガ、ＷＣＤのユーザに関連する１つ以上のソーシャルネットワーキングサイトフィード、ＷＣＤロケーション値から予め定義された距離内の、宛先機器識別アイテムの企業カテゴリーに関連する１つ以上の当該地点、地図情報、１つ以上の当該地点のうちの少なくとも１つについての地図情報、他の企業のための１つ以上の勧告、クーポン、又は宛先機器識別アイテムに関連するロケーションまでの道順などを含むことができる。更に、そのような態様では、宛先機器識別アイテムに関連するロケーションに関して決定された文脈的関連コンテンツアイテムは、気象情報、ローカルニュースフィード、企業名、企業アドレス、企業カテゴリー、予め定義された距離内の、企業カテゴリーに関連する１つ以上の当該地点、地図情報、企業カテゴリーに関連する１つ以上の当該地点のうちの少なくとも１つについての地図情報、企業カテゴリーに関係する１つ以上の企業、企業カテゴリーに関係する１つ以上の企業のための勧告、企業カテゴリーに関係する１つ以上の企業のうちの少なくとも１つまでの道順、又はＷＣＤロケーション値から宛先機器識別アイテムに関連するロケーションまでの道順などを含むことができる。更に、そのような態様では、ＷＣＤに関連するモバイル事業者、広告サーバ、ロケーションサーバなどに関して決定された文脈的関連コンテンツアイテムは、モバイル事業者に関連する１つ以上の広告、モバイル事業者に関連する１つ以上のコンテンツプロバイダからの１つ以上の広告、宛先機器識別アイテムの企業カテゴリーに関連する１つ以上の広告、ＷＣＤに関連するユーザのユーザプロファイルに関連する１つ以上の広告などを含むことができる。
【００６３】
更に、論理グルーピング８０２は、コンテキストコンテンツサーバから、１つ以上の文脈的関連コンテンツアイテム８０８のうちの少なくとも１つを受信するための手段を備えることができる。一態様では、受信することは、ＷＣＤに関連する１つ以上の動作間隔中に受信することであって、１つ以上の動作間隔が、宛先機器識別アイテムとの通信接続を開始するより前の間隔と、宛先機器識別アイテムへの通信接続が完了するより前の間隔と、通信接続が確立された後の通信中の間隔と、接続が終了した後の間隔とのうちの少なくとも１つを含む、受信することを含むことができる。従って、コンテキストコンテンツモジュールは、別の機器との通信中のある時点において、ワイヤレス機器によってアクセスするためにサーバから文脈的関連コンテンツアイテムを取得することができる。更に、システム８００は、手段８０４、８０６及び８０８に関連する機能を実行するための命令を保持するメモリ８１０を含むことができる。メモリ８１０の外部にあるものとして図示されているが、１つ以上の手段８０４、８０６及び８０８はメモリ８１０の内部に存在することができることを理解されたい。
【００６４】
図９を参照すると、ワイヤレス通信機器（ＷＣＤ）に文脈的関連コンテンツを提供することができる例示的なシステム９００のブロック図が示されている。例えば、システム９００は、少なくとも部分的にワイヤレス機器内に常駐することができる。別の例示的な態様によれば、システム９００は、少なくとも部分的にアクセス端末内に常駐することができる。システム９００は機能ブロックを含むものとして表されており、その機能ブロックは、プロセッサ、ソフトウェア、又はそれらの組合せ（例えば、ファームウェア）によって実装される機能を表す機能ブロックとすることができることを諒解されたい。システム９００は、連携して動作することができる手段の論理グルーピング９０２を含む。例えば、論理グルーピング９０２は、コンテキストコンテンツサーバによってＷＣＤ９０４から宛先機器識別アイテムを受信することを備えることができる。
【００６５】
更に、論理グルーピング９０２は、受信された宛先機器識別アイテム９０６、及び番号に対応する名前など、ＷＣＤによって送信された他の利用可能な情報を処理することによって１つ以上の文脈的関連コンテンツアイテムを決定するための手段を備えることができる。一態様では、コンテキストコンテンツサーバは、ＷＣＤロケーション値、宛先機器識別アイテムに関連するロケーション、宛先機器識別アイテムに関連する企業、当該地点（ＰＯＩ）をもつ広告サーバ、勧告サーバ、コンテンツサーバから取得された情報、ロケーション情報、特定のロケーションにおいて現在の気象及び時間を得るためのＡＰＩ、特定のロケーションにおけるニュース及びイベントのためのＡＰＩなどに関する文脈的関連コンテンツアイテムの関連性を決定することができる。そのような態様では、ＷＣＤロケーション値に関して決定された文脈的関連コンテンツアイテムは、気象情報、ローカルニュースフィード、ＷＣＤのユーザに関連する少なくとも１つのソーシャルネットワーキングサイトフィード、ＷＣＤロケーション値から予め定義された距離内の宛先機器識別アイテムの企業カテゴリーに関連する１つ以上の当該地点、地図情報、ＷＣＤロケーション値の予め定義された距離内の企業カテゴリーに関連する１つ以上の当該地点についての地図情報、宛先機器識別アイテムに関連するロケーションまでの道順、他の関係する企業までの道順などを含むことができる。更に、そのような態様では、宛先機器識別アイテムに関連するロケーションに関して決定された文脈的関連コンテンツアイテムは、気象情報、ローカルニュースフィード、宛先機器識別アイテムに関連する企業名、宛先機器識別アイテムに関連する企業アドレス、宛先機器識別アイテムに関連する企業カテゴリー、予め定義された距離内の、企業カテゴリーに関連する１つ以上の当該地点、地図情報、企業カテゴリーに関連する１つ以上の当該地点についての地図情報、ＷＣＤロケーション値からの道順などを含むことができる。更に、そのような態様では、ＷＣＤに関連するモバイル事業者に関して決定された文脈的関連コンテンツアイテムは、モバイル事業者に関連する１つ以上の広告、モバイル事業者に関連する１つ以上のコンテンツプロバイダからの１つ以上の広告、宛先機器識別アイテムの企業カテゴリーに関連する１つ以上の広告、ＷＣＤに関連するユーザのユーザプロファイルに関連する１つ以上の広告、広告サーバから受信された１つ以上の広告などを含むことができる。
【００６６】
更に、論理グルーピング９０２は、１つ以上の文脈的関連コンテンツアイテムのうちの少なくとも１つをＷＣＤ９０８に送信するための手段を備えることができる。一態様では、送信することは、ＷＣＤに関連する１つ以上の動作間隔中に宛先機器識別アイテムを送信することであって、１つ以上の動作間隔が、宛先機器識別アイテムとの通信接続を開始するより前の間隔と、宛先機器識別アイテムへの通信接続が完了するより前の間隔と、通信接続が確立された後の通信中の間隔と、接続が終了した後の間隔とのうちの少なくとも１つを含む、送信することを含むことができる。従って、サーバは、別の機器との通信中のある時点において、ＷＣＤに文脈的関連コンテンツアイテムを受信し、記憶し、分析し、提供することができる。更に、システム９００は、手段９０４、９０６及び９１０に関連する機能を実行するための命令を保持するメモリ９１０を含むことができる。メモリ９１０の外部にあるものとして図示されているが、１つ以上の手段９０４、９０６及び９０８はメモリ９１０の内部に存在することができることを理解されたい。
【００６７】
本出願で使用する「コンポーネント」、「モジュール」、「システム」などの用語は、限定はしないが、ハードウェア、ファームウェア、ハードウェアとソフトウェアの組合せ、ソフトウェア、又は実行中のソフトウェアなど、コンピュータ関連のエンティティを含むものとする。例えば、コンポーネントは、プロセッサ上で実行されるプロセス、プロセッサ、オブジェクト、実行可能ファイル、実行スレッド、プログラム、及び／又はコンピュータとすることができるが、これらに限定されない。例として、コンピューティング機器上で実行されるアプリケーションと、そのコンピューティング機器の両方をコンポーネントとすることができる。１つ以上のコンポーネントがプロセス及び／又は実行スレッド内に常駐することができ、１つのコンポーネントを１つのコンピュータ上に配置し、及び／又は２つ以上のコンピュータ間に分散することができる。更に、これらのコンポーネントは、様々なデータ構造を記憶している様々なコンピュータ可読媒体から実行することができる。これらのコンポーネントは、ローカルシステム、分散システム、及び／又は他のシステムを用いるインターネットなどのネットワーク全体の中の別のコンポーネントと信号を介して対話する１つのコンポーネントからのデータなど、１つ以上のデータパケットを有する信号によるなど、ローカルプロセス及び／又はリモートプロセスを介して通信することができる。
【００６８】
更に、本明細書では、ワイヤード端末又はワイヤレス端末とすることができる端末に関する様々な態様について説明する。端末は、システム、機器、加入者ユニット、加入者局、移動局、モバイル、モバイル機器、リモート局、リモート端末、アクセス端末、ユーザ端末、端末、通信機器、ユーザエージェント、ユーザ機器、又はユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルド機器、コンピューティング機器、又はワイヤレスモデムに接続された他の処理機器とすることができる。更に、本明細書では基地局に関する様々な態様について説明する。基地局は、（１つ以上の）ワイヤレス端末と通信するために利用でき、アクセスポイント、ノードＢ、又は何らかの他の用語で呼ばれることもある。
【００６９】
更に、「又は」という用語は、排他的な「又は」ではなく、包括的な「又は」を意味するものとする。すなわち、別段の規定がない限り、又は文脈から明白でない限り、「ＸはＡ又はＢを使用する」という句は、自然な包括的置換のいずれかを意味するものとする。つまり、「ＸはＡ又はＢを使用する」という句は、ＸがＡを使用する場合、ＸがＢを使用する場合、又はＸがＡとＢの両方を使用する場合のいずれによっても満たされる。更に、本出願及び添付の特許請求の範囲で使用する冠詞「ａ」及び「ａｎ」は、別段の規定がない限り、又は単数形を示すことが文脈から明白でない限り、概して「１つ以上」を意味するものと解釈すべきである。
【００７０】
本明細書で説明する技法は、ＣＤＭＡ、ＴＤＭＡ、ＦＤＭＡ、ＯＦＤＭＡ、ＳＣ−ＦＤＭＡ、ＷｉＦｉ、ＬＴＥ、ＷｉＭａｘ、及び他のシステムなど、様々なワイヤレス通信システムに使用でき得る。「システム」及び「ネットワーク」という用語は、しばしば互換的に使用される。ＣＤＭＡシステムは、Universal Terrestrial Radio Access（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）及びＣＤＭＡの他の変形態を含む。更に、ｃｄｍａ２０００は、ＩＳ−２０００、ＩＳ−９５及びＩＳ−８５６規格をカバーする。ＴＤＭＡシステムは、グローバル・システム・フォー・モバイル・コミュニケーションズ（ＧＳＭ）などの無線技術を実装することができる。ＯＦＤＭＡシステムは、Evolved UTRA（Ｅ−ＵＴＲＡ）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡ及びＥ−ＵＴＲＡは、ユニバーサル・モバイル・テレコミュニケーション・システム（ＵＭＴＳ）の一部である。３ＧＰＰ ロング・ターム・エボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ及びＧＳＭは、「第三世代提携プロジェクト」（３ＧＰＰ）と称する組織からの文書に記載されている。更に、ｃｄｍａ２０００及びＵＭＢは、「第三世代提携プロジェクト２」（３ＧＰＰ２）と称する組織からの文書に記載されている。更に、そのようなワイヤレス通信システムは、不対無資格スペクトル、８０２．ｘｘワイヤレスＬＡＮ、ＢＬＵＥＴＯＯＴＨ(登録商標)及び任意の他の短距離又は長距離ワイヤレス通信技法をしばしば使用するピアツーピア（例えば、モバイルツーモバイル）アドホックネットワークシステムを更に含むことができる。
【００７１】
様々な態様又は特徴は、幾つかの機器、コンポーネント、モジュールなどを含むことができるシステムに関して提示される。様々なシステムは、追加の機器、コンポーネント、モジュールなどを含んでもよく、及び／又は各図に関連して論じる機器、コンポーネント、モジュールなどのすべてを含まなくてもよいことを理解及び諒解されたい。これらの手法の組合せを使用することもできる。一態様では、ユーザは、コンテキストコンテンツサーバと通信するＷＣＤと直接インターフェースしないことがあることに更に留意されたい。ユーザは、追加又は代替として、ユーザのためのインターフェース及びディスプレイユニットとして働くことができる個別のディスプレイユニット（例えば、壁上、自動車ダッシュボード上、ＰＣ、パーソナルナビゲーション機器（ＰＮＤ）上など）とインターフェースすることができる。そのような態様では、この機器が、今度は、限定はしないが、Ｂｌｕｅｔｏｏｔｈ、Ｚｉｇｂｅｅ(登録商標)など、短距離ワイヤレス技術にわたってＷＣＤと通信することができる。更に、そのような短距離ワイヤレスインターフェースは、インターフェース機器とＷＣＤとの間でコンテキストコンテンツを搬送することができる。
【００７２】
本明細書で開示した態様に関して説明した様々な例示的な論理、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理機器、個別ゲート又はトランジスタ論理、個別ハードウェアコンポーネント、若しくは本明細書で説明した機能を実行するように設計されたそれらの任意の組合せを用いて実装又は実行できる。汎用プロセッサはマイクロプロセッサとすることができるが、代替として、プロセッサは任意の従来のプロセッサ、コントローラ、マイクロコントローラ、又は状態機械とすることができる。プロセッサは、コンピューティング機器の組合せ、例えば、ＤＳＰとマイクロプロセッサとの組合せ、複数のマイクロプロセッサ、ＤＳＰコアと連携する１つ以上のマイクロプロセッサ、若しくは任意の他のそのような構成として実装することもできる。更に、少なくとも１つのプロセッサは、上述のステップ及び／又はアクションの１つ以上を実行するように動作可能な１つ以上のモジュールを備えることができる。
【００７３】
更に、本明細書で開示された態様に関して説明した方法又はアルゴリズムのステップ及び／又はアクションは、直接ハードウェアで実施するか、プロセッサによって実行されるソフトウェアモジュールで実施するか、又はその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。更に、幾つかの態様では、プロセッサ及び記憶媒体はＡＳＩＣ中に常駐することができる。更に、ＡＳＩＣはユーザ端末中に常駐することができる。代替として、プロセッサ及び記憶媒体は、ユーザ端末内に個別コンポーネントとして常駐することもできる。更に、幾つかの態様では、方法又はアルゴリズムのステップ及び／又はアクションは、コンピュータプログラム製品に組み込むことができる、機械可読媒体及び／又はコンピュータ可読媒体上のコード及び／又は命令の１つ又は任意の組合せ、若しくはそのセットとして常駐することができる。
【００７４】
１つ以上の態様では、説明する機能は、ハードウェア、ソフトウェア、ファームウェア、又はそれらの組合せで実装することができる。ソフトウェアで実装する場合、機能は、１つ以上の命令又はコードとしてコンピュータ可読媒体上に記憶するか、若しくはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、又は他の光ディスクストレージ、磁気ディスクストレージ又は他の磁気記憶機器、若しくは命令又はデータ構造の形態の所望のプログラムコードを搬送又は記憶するために使用でき、コンピュータによってアクセスできる任意の他の媒体を備えることができる。また、どんな接続でもコンピュータ可読媒体と呼ばれることがある。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義に含まれる。本明細書で使用するディスク（disk）及びディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）及びブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００７５】
上記の開示は例示的な態様及び／又は態様について論じたが、添付の特許請求の範囲によって定義された、説明した態様及び／又は態様の範囲から逸脱することなく、様々な変更及び修正を本明細書で行うことができること留意されたい。更に、説明した態様及び／又は態様の要素が単数形で説明又は請求されていることがあるが、単数形に限定することが明示的に述べられていない限り、複数形が企図される。更に、態様及び／又は態様の全部又は一部は、別段の記述がない限り、他の態様及び／又は態様の全部又は一部とともに利用できる。
【図１】
2014180017.tif 000003
【図２】
2014180017.tif 000004
【図３Ａ】
2014180017.tif 000005
【図３Ｂ】
2014180017.tif 000006
【図４】
2014180017.tif 000007
【図５】
2014180017.tif 000008
【図６】
2014180017.tif 000009
【図７】
2014180017.tif 000010
【図８】
2014180017.tif 000011
【図９】
2014180017.tif 000012
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
ワイヤレス通信機器によって文脈的関連コンテンツを取得する方法であって、
ワイヤレス通信機器（ＷＣＤ）によって宛先機器識別アイテムを取得すること、
前記宛先機器識別アイテムをコンテキストコンテンツサーバに送信すること、
前記コンテキストコンテンツサーバから、１つ以上の前記文脈的関連コンテンツアイテムのうちの少なくとも１つを受信すること、を含み、
前記コンテキストコンテンツサーバが、受信された前記宛先機器識別アイテムを処理することによって１つ以上の文脈的関連コンテンツアイテムを決定する、方法。
【手続補正２】
【補正対象書類名】明細書
【補正対象項目名】００７５
【補正方法】変更
【補正の内容】
【００７５】
上記の開示は例示的な態様及び／又は態様について論じたが、添付の特許請求の範囲によって定義された、説明した態様及び／又は態様の範囲から逸脱することなく、様々な変更及び修正を本明細書で行うことができること留意されたい。更に、説明した態様及び／又は態様の要素が単数形で説明又は請求されていることがあるが、単数形に限定することが明示的に述べられていない限り、複数形が企図される。更に、態様及び／又は態様の全部又は一部は、別段の記述がない限り、他の態様及び／又は態様の全部又は一部とともに利用できる。
以下に本件出願当初の特許請求の範囲に記載された発明を付記する。
［１］  ワイヤレス通信機器によって文脈的関連コンテンツを取得する方法であって、ワイヤレス通信機器（ＷＣＤ）によって宛先機器識別アイテムを取得すること、前記宛先機器識別アイテムをコンテキストコンテンツサーバに送信すること、前記コンテキストコンテンツサーバから、１つ以上の前記文脈的関連コンテンツアイテムのうちの少なくとも１つを受信すること、を含み、前記コンテキストコンテンツサーバが、受信された前記宛先機器識別アイテムを処理することによって１つ以上の文脈的関連コンテンツアイテムを決定する、方法。
［２］  前記コンテキストコンテンツサーバが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定する、［１］に記載の方法。
［３］  前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、［２］に記載の方法。
［４］  前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、［２］に記載の方法。
［５］  前記企業又は企業カテゴリー宛先機器識別アイテムに関して決定された１つ以上の前記文脈的関連コンテンツアイテムが、前記企業宛先機器識別アイテムから英数字表現を抽出することと、前記企業カテゴリー又は少なくとも１つの関係する企業を決定するために前記抽出された英数字表現を使用することとによって決定された１つ以上の前記文脈的関連コンテンツアイテムを含む、［２］に記載の方法。
［６］  前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、［２］に記載の方法。
［７］  前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、［２］に記載の方法。
［８］  前記コンテキストコンテンツサーバが、前記モバイル事業者と、前記広告サーバと、前記勧告サーバとのうちの少なくとも１つに関連する、［２］に記載の方法。
［９］  前記宛先機器識別アイテムを前記取得することが、前記ＷＣＤに関連するユーザインターフェースから、ユーザが入力した電話番号を受信することと、前記ＷＣＤに関連するアドレス帳から、ユーザが入力した電話番号を受信することと、モバイル事業者が提供した複数の値から、ユーザが入力した値を受信することと、前記着信呼から前記宛先機器識別アイテムを受信することとのうちの少なくとも１つを更に含む、［１］に記載の方法。
［１０］  前記ＷＣＤロケーション情報が、前記ＷＣＤに関連するロケーションセンサから前記ＷＣＤロケーション値を受信することと、ユーザ入力から前記ＷＣＤロケーション情報を受信することと、前記ＷＣＤに関連する電話番号の市外局番から前記ＷＣＤロケーション情報を受信することと、ロケーションサーバから前記ＷＣＤロケーション情報を受信することとのうちの少なくとも１つによって取得される、［３］に記載の方法。
［１１］  前記受信することが、前記ＷＣＤに関連する１つ以上の動作間隔中に１つ以上の前記文脈的関連コンテンツアイテムのうちの少なくとも１つを受信することであって、１つ以上の前記動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、受信することを更に含む、［１］に記載の方法。
［１２］  前記宛先機器識別アイテムとの通信接続を開始するより前の前記間隔中に前記受信することが、１つ以上の非文脈的関連コンテンツアイテムを表示するアプリケーションに関連するユーザ入力に応答して１つ以上の前記文脈的関連コンテンツアイテムを表示することを更に含む、［１１］に記載の方法。
［１３］  前記宛先機器識別アイテムを送信することが、ショートメッセージサービス（ＳＭＳ）プロトコルと、拡張メッセージングサービス（ＥＭＳ）プロトコルと、マルチメディアメッセージサービス（ＭＭＳ）プロトコルと、インターネットプロトコル（ＩＰ）ソケットプロトコルと、符号分割多重アクセス（ＣＤＭＡ）ベースのプロトコルと、グローバル・システム・フォー・モバイル・コミュニケーションズ（ＧＳＭ）ベースのプロトコルとのうちの少なくとも１つを使用して前記宛先機器識別アイテムを送信することを更に含む、［１］に記載の方法。
［１４］  前記宛先機器識別アイテムを送信することが、ショートメッセージサービス（ＳＭＳ）通信データパケットと、宛先機器電話番号とのうちの少なくとも１つとして前記宛先機器識別アイテムを送信することを更に含む、［１］に記載の方法。
［１５］  ワイヤレス通信機器によって文脈的関連コンテンツを取得するように構成された少なくとも１つのプロセッサであって、ワイヤレス通信機器（ＷＣＤ）によって宛先機器識別アイテムを取得するための第１のモジュールと、前記宛先機器識別アイテムをコンテキストコンテンツサーバに送信するための第２のモジュールと、前記コンテキストコンテンツサーバから、１つ以上の前記文脈的関連コンテンツアイテムのうちの少なくとも１つを受信するための第３のモジュールと、を備え、前記コンテキストコンテンツサーバが、受信された前記宛先機器識別アイテムを処理することによって１つ以上の文脈的関連コンテンツアイテムを決定する、プロセッサ。
［１６］  コンピュータに、ワイヤレス通信機器（ＷＣＤ）によって宛先機器識別アイテムを取得させるためのコードの第１のセットと、前記コンピュータに、前記宛先機器識別アイテムをコンテキストコンテンツサーバに送信させるためのコードの第２のセットと、前記コンピュータに、前記コンテキストコンテンツサーバから、１つ以上の前記文脈的関連コンテンツアイテムのうちの少なくとも１つを受信させるためのコードの第３のセットと、を備え、前記コンテキストコンテンツサーバが、受信された前記宛先機器識別アイテムを処理することによって１つ以上の文脈的関連コンテンツアイテムを決定する、コンピュータ可読媒体を備える、コンピュータプログラム製品。
［１７］  ワイヤレス通信機器（ＷＣＤ）によって宛先機器識別アイテムを取得するための手段と、前記宛先機器識別アイテムをコンテキストコンテンツサーバに送信するための手段と、前記コンテキストコンテンツサーバから、１つ以上の前記文脈的関連コンテンツアイテムのうちの少なくとも１つを受信するための手段と、を備え、前記コンテキストコンテンツサーバが、受信された前記宛先機器識別アイテムを処理することによって１つ以上の文脈的関連コンテンツアイテムを決定する、装置。
［１８］  ワイヤレス通信機器（ＷＣＤ）によって宛先機器識別アイテムを取得すること、前記宛先機器識別アイテムをコンテキストコンテンツサーバに送信すること、前記コンテキストコンテンツサーバから、１つ以上の文脈的関連コンテンツアイテムのうちの少なくとも１つを受信すること、を行うように動作可能な通信モジュールを備え、前記コンテキストコンテンツサーバが、受信された前記宛先機器識別アイテムを処理することによって１つ以上の前記文脈的関連コンテンツアイテムを決定する、ワイヤレス通信機器（ＷＣＤ）。
［１９］  前記コンテキストコンテンツサーバが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定する、［１８］に記載のＷＣＤ。
［２０］  前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの前記少なくとも１つについての地図情報と、他の企業のための１つ以上の勧告と、クーポンと、前記宛先機器識別アイテムに関連する前記ロケーションまでの道順とのうちの少なくとも１つを含む、［１９］に記載のＷＣＤ。
［２１］  前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、［１９］に記載のＷＣＤ。
［２２］  前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の文脈的関連コンテンツアイテムを含む、［１９］に記載のＷＣＤ。
［２３］  前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、［１９］に記載のＷＣＤ。
［２４］  前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、［１９］に記載のＷＣＤ。
［２５］  前記コンテキストコンテンツサーバが、前記モバイル事業者と、前記広告サーバと、前記勧告サーバとのうちの少なくとも１つに関連する、［１９］に記載のＷＣＤ。
［２６］  前記通信モジュールが、前記ＷＣＤに関連するユーザインターフェースから、ユーザが入力した電話番号を受信することと、前記ＷＣＤに関連するアドレス帳から、ユーザが入力した電話番号を受信することと、モバイル事業者が提供した複数の値から、ユーザが入力した値を受信することと、前記着信呼から前記宛先機器識別アイテムを受信することとを行うように更に動作可能である、［１８］に記載のＷＣＤ。
［２７］  前記通信モジュールが、前記ＷＣＤに関連するロケーションセンサから前記ＷＣＤロケーション値を受信することと、ユーザ入力から前記ＷＣＤロケーション情報を受信することと、前記ＷＣＤに関連する電話番号の市外局番から前記ＷＣＤロケーション情報を受信することと、ロケーションサーバから前記ＷＣＤロケーション情報を受信することとを行うように更に動作可能である、［２０］に記載のＷＣＤ。
［２８］  前記通信モジュールが、前記ＷＣＤに関連する１つ以上の動作間隔中に１つ以上の前記文脈的関連コンテンツアイテムのうちの少なくとも１つを受信するように更に動作可能であり、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、［１８］に記載のＷＣＤ。
［２９］  １つ以上の非文脈的関連コンテンツアイテムを表示するためのアプリケーションモジュールを更に備え、前記通信モジュールが、１つ以上の前記非文脈的関連コンテンツアイテムを表示する前記アプリケーションモジュールに関連するユーザ入力に応答して１つ以上の前記文脈的関連コンテンツアイテムを表示するように更に動作可能である、［２８］に記載のＷＣＤ。
［３０］  前記通信モジュールが、ショートメッセージサービス（ＳＭＳ）プロトコルと、拡張メッセージングサービス（ＥＭＳ）プロトコルと、マルチメディアメッセージサービス（ＭＭＳ）プロトコルと、インターネットプロトコル（ＩＰ）ソケットプロトコルと、符号分割多重アクセス（ＣＤＭＡ）ベースのプロトコルと、グローバル・システム・フォー・モバイル・コミュニケーションズ（ＧＳＭ）ベースのプロトコルとのうちの少なくとも１つを使用して前記宛先機器識別アイテムを送信するように更に動作可能である、［１８］に記載のＷＣＤ。
［３１］  前記通信モジュールが、ショートメッセージサービス（ＳＭＳ）通信データパケットと、宛先機器電話番号とのうちの少なくとも１つとして前記宛先機器識別アイテムを送信するように更に動作可能である、［１８］に記載のＷＣＤ。
［３２］  ワイヤレス通信機器（ＷＣＤ）に文脈的関連コンテンツを提供するための方法であって、前記方法が、コンテキストコンテンツサーバによってＷＣＤから宛先機器識別アイテムを受信することと、受信された前記宛先機器識別アイテムを処理することによって１つ以上の文脈的関連コンテンツアイテムを決定することと、１つ以上の前記文脈的関連コンテンツアイテムのうちの少なくとも１つを前記ＷＣＤに送信することとを備える、方法。
［３３］  前記決定することが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定することを更に備える、［３２］に記載の方法。
［３４］  前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、［３３］に記載の方法。
［３５］  前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、［３３］に記載の方法。
［３６］  前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の前記文脈的関連コンテンツアイテムを含む、［３３］に記載の方法。
［３７］  前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、［３３］に記載の方法。
［３８］  前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、［３３］に記載の方法。
［３９］  前記コンテキストコンテンツサーバが、前記モバイル事業者と、前記広告サーバと、前記勧告サーバとのうちの少なくとも１つに関連する、［３３］に記載の方法。
［４０］  前記ＷＣＤと前記宛先機器識別アイテムに関連する機器との間の通信経路を確立することを更に含み、前記送信することが、前記ＷＣＤに関連する１つ以上の動作間隔中に１つ以上の前記文脈的関連コンテンツアイテムのうちの少なくとも１つを送信することを更に備え、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、［３２］に記載の方法。
［４１］  前記ＷＣＤからユーザプロファイル情報を受信することであって、前記ユーザプロファイル情報が、前に送信された文脈的関連コンテンツアイテムへの１つ以上のユーザ応答と、前に送信された文脈的関連コンテンツアイテムからのスパムの１つ以上の報告と、前記ＷＣＤのモデルに関連する属性の説明とのうちの少なくとも１つを含む、受信することと、前記受信されたユーザプロファイル情報と前記宛先機器識別アイテムとの少なくとも一部分を記憶することと、複数のユーザについての記憶されたユーザプロファイル情報と宛先機器識別アイテムとを処理することから、１つ以上の改良された文脈的関連コンテンツアイテムを生成することとを更に含む、［３３］に記載の方法。
［４２］  １つ以上の改良された前記文脈的関連コンテンツアイテムが、前記ＷＣＤの前記モデルに関連する前記属性に基づく１つ以上の広告と、前記複数のユーザからの勧告に基づく関係する企業のための１つ以上の広告とのうちの少なくとも１つを含む、［４１］に記載の方法。
［４３］  前記受信することと、前記送信することとのうちの少なくとも１つが、ショートメッセージサービス（ＳＭＳ）プロトコルと、拡張メッセージングサービス（ＥＭＳ）プロトコルと、マルチメディアメッセージサービス（ＭＭＳ）プロトコルと、インターネットプロトコル（ＩＰ）ソケットプロトコルと、符号分割多重アクセス（ＣＤＭＡ）ベースのプロトコルと、グローバル・システム・フォー・モバイル・コミュニケーションズ（ＧＳＭ）ベースのプロトコルとのうちの少なくとも１つを使用して前記宛先機器識別アイテムを受信又は送信することを更に含む、［３２］に記載の方法。
［４４］  前記受信することと、前記送信することとのうちの少なくとも１つが、ショートメッセージサービス（ＳＭＳ）通信データパケットと、宛先機器電話番号とのうちの少なくとも１つとして前記宛先機器識別アイテムを受信又は送信することを更に含む、［３２］に記載の方法。
［４５］  ワイヤレス通信機器に文脈的関連コンテンツを提供するように構成された少なくとも１つのプロセッサであって、コンテキストコンテンツサーバによってＷＣＤから宛先機器識別アイテムを受信するための第１のモジュールと、受信された前記宛先機器識別アイテムを処理することによって１つ以上の文脈的関連コンテンツアイテムを決定するための第２のモジュールと、１つ以上の前記文脈的関連コンテンツアイテムのうちの少なくとも１つを前記ＷＣＤに送信するための第３のモジュールとを備えるプロセッサ。
［４６］  コンピュータに、コンテキストコンテンツサーバによってＷＣＤから宛先機器識別アイテムを受信させるためのコードの第１のセットと、前記コンピュータに、受信された前記宛先機器識別アイテムを処理することによって１つ以上の文脈的関連コンテンツアイテムを決定させるためのコードの第２のセットと、前記コンピュータに、１つ以上の前記文脈的関連コンテンツアイテムのうちの少なくとも１つを前記ＷＣＤに送信させるためのコードの第３のセットとを含むコンピュータ可読媒体を備えるコンピュータプログラム製品。
［４７］  コンテキストコンテンツサーバによってＷＣＤから宛先機器識別アイテムを受信するための手段と、受信された前記宛先機器識別アイテムを処理することによって１つ以上の文脈的関連コンテンツアイテムを決定するための手段と、１つ以上の前記文脈的関連コンテンツアイテムのうちの少なくとも１つを前記ＷＣＤに送信するための手段とを備える装置。
［４８］    コンテキストコンテンツサーバによってＷＣＤから宛先機器識別アイテムを受信するように動作可能である通信モジュールと、  受信された前記宛先機器識別アイテムを処理することによって１つ以上の文脈的関連コンテンツアイテムを決定するように動作可能であるコンテキストコンテンツモジュールと、を備え、前記通信モジュールが、  １つ以上の前記文脈的関連コンテンツアイテムのうちの少なくとも１つを前記ＷＣＤに送信するように更に動作可能である、コンテキストコンテンツサーバ。
［４９］  前記コンテキストコンテンツモジュールが、ＷＣＤロケーション値と、前記宛先機器識別アイテムに関連するロケーションと、前記宛先機器識別アイテムから構文解析されたテキストコンテンツと、前記宛先機器識別アイテムに関連する企業又は企業カテゴリーと、広告サーバから取得された情報と、勧告サーバから取得された情報と、ロケーションサーバから取得された情報と、前記ＷＣＤに関連するモバイル事業者から取得された情報とのうちの少なくとも１つに関する、１つ以上の前記文脈的関連コンテンツアイテムの関連性を決定するように更に動作可能である、［４８］に記載のコンテキストコンテンツサーバ。
［５０］  前記ＷＣＤロケーション値に関して決定された１つ以上の前記文脈的関連コンテンツアイテムが、気象情報と、ローカルニュースフィードと、ローカルイベントと、ローカル時間と、現地国固有の為替レートと、現地国固有の株価指数トリガと、前記ＷＣＤのユーザに関連する１つ以上のソーシャルネットワーキングサイトフィードと、前記ＷＣＤロケーション値から予め定義された距離内の、前記宛先機器識別アイテムの前記企業カテゴリーに関連する１つ以上の当該地点と、地図情報と、前記１つ以上の当該地点のうちの少なくとも１つについての地図情報と、他の企業のための１つ以上の勧告と、クーポンと、前記宛先機器識別アイテムに関連する前記ロケーションまでの道順とのうちの少なくとも１つを含む、［４９］に記載のコンテキストコンテンツサーバ。
［５１］  前記宛先機器識別アイテムに関連する前記ロケーションに関して決定された１つ以上の前記文脈的関連コンテンツアイテムが、気象情報と、ローカルニュースフィードと、企業名と、企業アドレスと、企業カテゴリーと、予め定義された距離内の、前記企業カテゴリーに関連する１つ以上の当該地点と、地図情報と、前記企業カテゴリーに関連する前記１つ以上の当該地点のうちの少なくとも１つについての地図情報と、前記企業カテゴリーに関係する１つ以上の企業と、前記企業カテゴリーに関係する前記１つ以上の企業のための勧告と、前記企業カテゴリーに関係する前記１つ以上の企業のうちの少なくとも１つまでの道順と、前記ＷＣＤロケーション値から前記宛先機器識別アイテムに関連する前記ロケーションまでの道順とのうちの少なくとも１つを含む、［４９］に記載のコンテキストコンテンツサーバ。
［５２］  前記企業又は企業カテゴリー宛先機器識別アイテムに関して決定された１つ以上の前記文脈的関連コンテンツアイテムが、前記企業宛先機器識別アイテムから英数字表現を抽出することと、企業カテゴリー又は少なくとも１つの関係する企業を決定するために前記抽出された英数字表現を使用することとによって決定された１つ以上の前記文脈的関連コンテンツアイテムを含む、［４９］に記載のコンテキストコンテンツサーバ。
［５３］  前記広告サーバに関して決定された１つ以上の前記文脈的関連コンテンツアイテムが、前記宛先機器識別アイテムに関連する企業と、前記宛先機器識別アイテムに関連するロケーションと、前記ＷＣＤロケーション値と前記宛先機器識別アイテムに関連する前記ロケーションとの間のロケーション関係とのうちの少なくとも１つに基づく、［４］に記載のコンテキストコンテンツサーバ。
［５４］  前記ＷＣＤに関連する前記モバイル事業者に関して決定された１つ以上の前記文脈的関連コンテンツアイテムが、前記モバイル事業者に関連する１つ以上の広告と、前記モバイル事業者に関連する１つ以上のコンテンツプロバイダからの１つ以上の広告と、前記宛先機器識別アイテムの企業カテゴリーに関連する１つ以上の広告と、前記ＷＣＤに関連するユーザのユーザプロファイルに関連する１つ以上の広告とのうちの少なくとも１つを含む、［４９］に記載のコンテキストコンテンツサーバ。
［５５］  前記コンテキストコンテンツサーバが、前記モバイル事業者と、前記広告サーバと、前記勧告サーバとのうちの少なくとも１つに関連する、［４９］に記載のコンテキストコンテンツサーバ。
［５６］  前記通信モジュールが、前記ＷＣＤと前記宛先機器識別アイテムに関連する機器との間の通信経路を確立するように更に動作可能であり、前記送信することが、前記ＷＣＤに関連する１つ以上の動作間隔中に１つ以上の前記文脈的関連コンテンツアイテムのうちの少なくとも１つを送信することを更に含み、前記１つ以上の動作間隔が、前記宛先機器識別アイテムとの通信接続を開始するより前の間隔と、前記宛先機器識別アイテムへの通信接続が完了するより前の間隔と、前記通信接続が確立された後の通信中の間隔と、前記通信接続が終了した後の間隔とのうちの少なくとも１つを含む、［４８］に記載のコンテキストコンテンツサーバ。
［５７］  前記通信モジュールが、前記ＷＣＤからユーザプロファイル情報を受信するように更に動作可能であり、前記ユーザプロファイル情報が、前に送信された文脈的関連コンテンツアイテムへの１つ以上のユーザ応答と、前に送信された文脈的関連コンテンツアイテムからのスパムの１つ以上の報告と、前記ＷＣＤの前記モデルに関連する属性の説明とのうちの少なくとも１つを含み、前記受信されたユーザプロファイル情報と前記宛先機器識別アイテムとの少なくとも一部分を記憶するように動作可能である記憶モジュールを更に備え、前記コンテキストコンテンツモジュールが、複数のユーザについての記憶されたユーザプロファイル情報と宛先機器識別アイテムとを処理することから、１つ以上の改良された文脈的関連コンテンツアイテムを生成するように更に動作可能である、［４８］に記載のコンテキストコンテンツサーバ。
［５８］  前記１つ以上の改良された文脈的関連コンテンツアイテムが、前記ＷＣＤの前記モデルに関連する前記属性に基づく１つ以上の広告と、前記複数のユーザからの勧告に基づく関係する企業のための１つ以上の広告とのうちの少なくとも１つを含む、［５７］に記載のコンテキストコンテンツサーバ。
［５９］  前記通信モジュールが、ショートメッセージサービス（ＳＭＳ）プロトコルと、拡張メッセージングサービス（ＥＭＳ）プロトコルと、マルチメディアメッセージサービス（ＭＭＳ）プロトコルと、インターネットプロトコル（ＩＰ）ソケットプロトコルと、符号分割多重アクセス（ＣＤＭＡ）ベースのプロトコルと、グローバル・システム・フォー・モバイル・コミュニケーションズ（ＧＳＭ）ベースのプロトコルとのうちの少なくとも１つを使用して前記宛先機器識別アイテムを送信するように更に動作可能である、［４８］に記載のコンテキストコンテンツサーバ。
［６０］  前記通信モジュールが、ショートメッセージサービス（ＳＭＳ）通信データパケットと、宛先機器電話番号とのうちの少なくとも１つとして前記宛先機器識別アイテムを送信するように更に動作可能である、［４８］に記載のコンテキストコンテンツサーバ。
【外国語明細書】
2014180017000001.pdf